(57)【要約】      （修正有）【課題】眼鏡装用者個々人に最適な専用の眼鏡レンズまたは眼鏡を供給できる眼鏡レンズ供給システムを提供すること。【解決手段】眼鏡装用パラメータ測定システムは、眼鏡フレームを装用した眼鏡装用者を遠方視状態または近方視状態に設定し、この近方視状態では、眼球回旋角と近方視目的距離の少なくとも一方を任意に変更可能とし、遠方視状態または近方視状態に設定された眼鏡装用者を撮影装置により撮影し、その画像を取り込み、撮像画像に基づき眼鏡装用パラメータを計測し演算する。測定した眼鏡装用パラメータを受け取った工場サーバは、上記データを眼鏡レンズまたは眼鏡の作製に供する。また、眼鏡装用検査システムは、眼鏡作製後の現時点で測定された眼鏡装用パラメータと、眼鏡作製前の眼鏡装用パラメータとを比較し、比較により得られた数値に基づき眼鏡の装用状態の適否を判定して検証する。【選択図】図１
2010266892.tif 000002
【特許請求の範囲】
【請求項１】
眼鏡装用者に適した眼鏡を作製するために必要な眼鏡装用パラメータを測定する眼鏡装用パラメータ測定装置において、
眼鏡フレームを装用した眼鏡装用者を遠方視状態または近方視状態に設定し、この近方視状態では、眼球回旋角と近方視目的距離の少なくとも一方を任意に変更可能とする固視手段と、
この固視手段により遠方視状態または近方視状態に設定された眼鏡装用者を撮影装置により撮影し、その画像を取り込む画像入力手段と、
この画像入力手段によって得られた撮像画像に基づき上記眼鏡装用パラメータを計測し演算する計測演算手段と、を有することを特徴とする眼鏡装用パラメータ測定装置。
【請求項２】
上記計測演算手段が計測し演算する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであることを特徴とする請求項１に記載の眼鏡装用パラメータ測定装置。
【請求項３】
上記固視手段は、眼鏡装用者の眼球の回旋点を中心に上記撮影装置と連動して回旋移動させ、この撮影装置の光軸を上記眼球の視軸に常時一致させた状態に保持することを特徴とする請求項１または２に記載の眼鏡装用パラメータ測定装置。
【請求項４】
上記眼鏡装用パラメータの眼球回旋角及び近方視目的距離は、眼鏡装用者に適した近方視状態を確認させながら、固視手段により変更して決定されて測定されることを特徴とする請求項１乃至３のいずれかに記載の眼鏡装用パラメータ測定装置。
【請求項５】
上記眼鏡装用パラメータの遠方視眼鏡装用距離及び近方視眼鏡装用距離は、上記眼鏡フレームの立体形状を考慮して算出されて測定されることを特徴とする請求項１乃至４のいずれかに記載の眼鏡装用パラメータ測定装置。
【請求項６】
上記眼鏡装用パラメータの近方視瞳孔間距離は、眼鏡装用者が装用した眼鏡の眼鏡レンズ面上において算出されて測定されることを特徴とする請求項１乃至５のいずれかに記載の眼鏡装用パラメータ測定装置。
【請求項７】
上記固視手段が設定する遠方視状態における固視灯が、虚像として形成されることを特徴とする請求項１乃至６のいずれかに記載の眼鏡装用パラメータ測定装置。
【請求項８】
上記計測演算手段は、眼鏡装用者の瞬きを検知し、瞬きが発生していないときに眼鏡装用者を撮影することを特徴とする請求項１乃至７のいずれかに記載の眼鏡装用パラメータ測定装置。
【請求項９】
請求項１乃至８のいずれかに記載の眼鏡装用パラメータ測定装置により測定された眼鏡装用パラメータのうち、少なくとも一つを用いて光学設計を行ない作製されることを特徴とする眼鏡レンズ。
【請求項１０】
請求項１乃至８のいずれかに記載の眼鏡装用パラメータ測定装置により測定された眼鏡装用パラメータのうち、少なくとも一つを用いて作製されることを特徴とする眼鏡。
【発明の詳細な説明】
【技術分野】
【０００１】
本発明は眼鏡レンズ供給システムに係り、特に、眼鏡レンズまたは眼鏡の発注側に設置された発注側コンピュータと、眼鏡レンズまたは眼鏡の製造側に設置された製造側コンピュータとが情報交換可能に接続された眼鏡レンズ供給システムに関する。
【０００２】
また、本発明は、眼鏡フレームを装用した眼鏡装用者の画像を撮像し、その画像から眼鏡を作製するために必要とされる様々な眼鏡装用パラメータを測定する眼鏡装用パラメータ測定装置、並びに当該測定装置により測定された眼鏡装用パラメータに基づいて作製される眼鏡レンズ及び眼鏡に関する。
【０００３】
さらにまた、本発明は、事前に測定し顧客データベースに保存された眼鏡装用パラメータと、現時点において測定した同一眼鏡装用者の眼鏡装用パラメータ、例えば上記保存された眼鏡装用パラメータに基づいて作製された眼鏡を同一眼鏡装用者に装用させて測定したときの眼鏡装用パラメータとを比較して、眼鏡の装用状態を検証する眼鏡装用検査システムに関する。
【背景技術】
【０００４】
従来から、眼鏡レンズ等の受注や発注をオンラインで行う眼鏡レンズ供給システムが知られている（特許文献１参照）。この従来のシステムは、眼鏡レンズの発注側に設置された発注側コンピュータと、この発注側コンピュータに情報交換可能に接続され、発注側コンピュータから送信される眼鏡処方データ等の発注情報に基づいてレンズ設計データを得る等の受注処理を実行する製造側コンピュータとを備えている。これらの発注側コンピュータと製造側コンピュータとは、所定の入力操作に応じて演算処理を行い、互いに情報交換を行いながら眼鏡レンズの受・発注に必要な処理を行う。
【０００５】
眼鏡の作製では、眼鏡処方値と眼鏡フレームの選択と眼鏡装用者に関連した様々な眼鏡装用パラメータとに応じて光学設計を行い、その設計値に基づいて製造された眼鏡レンズを眼鏡フレームの形状に合わせて枠入れするように切削することが必要である。眼鏡装用者に関連した眼鏡装用パラメータとしては、遠方視瞳孔間距離、近方視瞳孔間距離、遠方視装用距離（頂点間距離）、眼鏡フレーム装用角度等である。
【０００６】
従来より、この眼鏡装用パラメータの測定には様々な光学的測定方法が知られている。例えば、眼鏡店において主にピューピロメータ（ＰＤメータ）を使用し、眼鏡装用パラメータとして眼鏡装用者の遠方視瞳孔間距離と近方視瞳孔間距離を測定していた。この方法は、ある程度正確な値が得られるが、眼鏡装用者に不自然な姿勢を要求して装置を覗き込ませるため、自然な眼鏡装用環境と異なり、測定値にばらつきがあった。
【０００７】
こうした欠点を克服した装置として、特許文献２に記載されたCarl Zeiss社のVideo-Infralが知られている。この装置は眼鏡店で使用され、２台のビデオカメラと１枚の反射鏡とを使用して、眼鏡装用者の正面画像と側面画像を得る。眼鏡装用者の眼の中心位置を決定するために、これらの画像上でマウス型ポインティンデバイスを使用して、眼鏡フレーム形状に接する接線を矩形状にトレースする。その後、眼鏡装用者の正面画像上において、眼鏡フレームを基準とする眼鏡装用者の瞳孔の相対的位置、つまり眼鏡装用パラメータとしての遠方視瞳孔間距離を測定する。更に、眼鏡装用者の側面画像上において垂直線を基準としたときの眼鏡フレームの傾斜角(つまり、眼鏡装用パラメータとしての眼鏡フレーム装用角度)と、眼鏡フレームの位置を基準とした角膜頂点までの距離である頂点間距離(つまり、眼鏡装用パラメータとしての遠方視眼鏡装用距離)とを測定する。
【先行技術文献】
【特許文献】
【０００８】
【特許文献１】特許第２９８２９９１号公報
【特許文献２】特開平８−４７４８１号公報(第３頁)
【発明の概要】
【発明が解決しようとする課題】
【０００９】
しかしながら、上記従来のシステムはあくまで眼鏡レンズの受・発注処理のシステムであって、眼鏡装用者個々人に応じた眼鏡装用パラメータを計測し、その値を用いて光学設計を行い、加工を行って、それぞれの眼鏡装用者に最適な専用の眼鏡レンズ或いは眼鏡を供給するものではなかった。
【００１０】
特許文献２に記載の従来の装置によれば、主に遠方視瞳孔間距離、眼鏡フレーム装用角度および頂点間距離が測定されるが、このうちの頂点間距離は眼鏡フレームの立体的形状を考慮していないため、実際には眼鏡装用パラメータとしての遠方視眼鏡装用距離とは言えず、この数値を有効に用いることができない。つまり、眼鏡装用パラメータとしての遠方視眼鏡装用距離、近方視眼鏡装用距離を計測し計算するには、フレームあおり角等の眼鏡フレームの立体的形状に関するデータが必要であり、このデータを用いて遠方視眼鏡装用距離、近方視眼鏡装用距離を計測し計算する装置はこれまでに存在しなかった。
【００１１】
また、特許文献２に記載の装置では、累進屈折力レンズをはじめとした眼鏡レンズに必要な近方視に関する眼鏡装用パラメータである近方視眼鏡装用距離、近方視時における眼球回旋角及び近方視目的距離を計測し設定することができない。
さらに、この近方視状態における眼球回旋角及び近方視目的距離を眼鏡装用者に応じて変更し、眼鏡装用者に最適な近方視状態を検出し、その状態で眼鏡装用者を撮影する装置も存在しなかった。
【００１２】
また、眼鏡装用者個々人の処方に応じた屈折力補正用眼鏡レンズ（累進屈折力レンズ、多焦点レンズ、近用専用単焦点レンズ、単焦点レンズ等）を作製するために必要な眼鏡装用パラメータを選択して測定できる装置も存在しなかった。
【００１３】
更に、事前に測定した眼鏡装用パラメータと、例えば眼鏡作製後にその眼鏡を眼鏡装用者に装用させて測定した眼鏡装用パラメータとを比較して、その眼鏡の装用状態を検証する装置も存在しなかった。
【００１４】
本発明の第１の目的は、上述の事情を考慮してなされたものであり、眼鏡装用者個々人に最適な専用の眼鏡レンズまたは眼鏡を供給できる眼鏡レンズ供給システムを提供することにある。
【００１５】
本発明の第２の目的は、眼鏡装用者が新たに眼鏡を作る場合や、処方を変えて眼鏡を作る場合、或いは眼鏡店などの発注側において眼鏡装用者である顧客の眼鏡に関する履歴を更新する場合に有効である眼鏡レンズ供給システムを提供することにある。
【００１６】
本発明の第３の目的は、眼鏡装用者個々人に最適な専用の眼鏡レンズとすることができる眼鏡レンズを提供することにある。
【００１７】
本発明の第４の目的は、眼鏡装用者個々人に最適な専用の眼鏡とすることができる眼鏡を提供することにある。
【００１８】
本発明の第５の目的は、眼鏡の作製に必要な眼鏡装用パラメータを高精度に測定でき、これにより、眼鏡装用者個々人に最適な専用の眼鏡レンズまたは眼鏡を製作できる眼鏡装用パラメータ測定装置を提供することにある。
本発明の第６の目的は、眼鏡装用パラメータ測定装置によって高精度に測定された眼鏡装用パラメータに基づき、眼鏡装用者個々人に最適な専用の眼鏡レンズとすることができる眼鏡レンズを提供することにある。
【００１９】
本発明の第７の目的は、眼鏡装用パラメータ測定装置によって高精度に測定された眼鏡装用パラメータに基づき、眼鏡装用者個々人に最適な専用の眼鏡とすることができる眼鏡を提供することにある。
【００２０】
本発明の第８の目的は、眼鏡の装用状態を適切に検証できる眼鏡装用検査システムを提供することにある。
【００２１】
本発明の第９の目的は、作製された眼鏡の装用状態を適切に検証できる眼鏡装用検査システムを提供することにある。
【課題を解決するための手段】
【００２２】
本発明の第１の態様に係る眼鏡レンズ供給システムは、眼鏡レンズの発注情報に基づき受注に必要な処理を行う製造側コンピュータを備えた眼鏡レンズまたは眼鏡を供給する眼鏡レンズ供給システムであって、上記製造側コンピュータが、眼鏡装用パラメータを含む眼鏡を作製するために必要な眼鏡装用者個々人のデータを少なくとも受信又は入力可能に構成され、上記眼鏡装用パラメータが、遠方視瞳孔間距離、近方視瞳孔間距離、遠方視眼鏡装用距離、近方視眼鏡装用距離、眼鏡フレーム装用角度、眼球回旋角、近方視目的距離の少なくとも一つであることを特徴とするものである。
【００２３】
本発明の第２の態様に係る眼鏡レンズ供給システムは、眼鏡レンズの発注側に設置された発注側コンピュータと、この発注側コンピュータに情報交換可能に接続された製造側コンピュータとを備え、上記発注側コンピュータと上記製造側コンピュータには、互いに情報交換しながら眼鏡レンズの発注及び受注に必要な処理を行って、眼鏡レンズまたは眼鏡を供給する眼鏡レンズ供給システムであって、上記発注側コンピュータには、眼鏡装用者個々人の眼鏡装用パラメータを測定する眼鏡装用パラメータ測定装置が接続され、この発注側コンピュータは、眼鏡装用パラメータを含む眼鏡を作製するために必要な眼鏡装用者個々人のデータを、上記製造側コンピュータに少なくとも送信可能に構成され、上記眼鏡装用パラメータが、遠方視瞳孔間距離、近方視瞳孔間距離、遠方視眼鏡装用距離、近方視眼鏡装用距離、眼鏡フレーム装用角度、眼球回旋角、近方視目的距離の少なくとも一つであることを特徴とするものである。
【００２４】
本発明の第３の態様に係る眼鏡レンズ供給システムは、第１の態様に記載の発明において、上記製造側コンピュータが顧客データベースを有し、この顧客データベースに、眼鏡装用パラメータを含む眼鏡を作製するために必要な眼鏡装用者個々人のデータが記録保存されることを特徴とするものである。
【００２５】
本発明の第４の態様に係る眼鏡レンズ供給システムは、第２の態様に記載の発明において、上記発注側コンピュータと製造側コンピュータの少なくとも一方が顧客データベースを有し、この顧客データベースに、眼鏡装用パラメータを含む眼鏡を作製するために必要な眼鏡装用者個々人のデータが記録保存されることを特徴とするものである。
【００２６】
本発明の第５の態様に係る眼鏡レンズ供給システムは、第１乃至第４の態様のいずれかに記載の発明において、上記眼鏡を作製するために必要な眼鏡装用者個々人のデータは、眼鏡レンズデータ、眼鏡フレームデータ、眼鏡処方データ、加工指定データ、眼鏡装用パラメータの少なくとも一つを含むことを特徴とするものである。
【００２７】
本発明の第６の態様に係る眼鏡レンズは、第１乃至第５の態様のいずれかに記載の眼鏡レンズ供給システムで扱う、眼鏡装用パラメータを含む眼鏡を作製するために必要な眼鏡装用者個々人のデータを用いて光学設計を行ない作製されることを特徴とするものである。
【００２８】
本発明の第７の態様に係る眼鏡は、第１乃至第５の態様のいずれかに記載の眼鏡レンズ供給システムで扱う、眼鏡装用パラメータを含む眼鏡を作製するために必要な眼鏡装用者個々人のデータを用いて作製されることを特徴とするものである。
【００２９】
本発明の第８の態様に係る眼鏡装用検査システムは、眼鏡装用者に適した眼鏡を作製するために必要な眼鏡装用パラメータを測定する眼鏡装用パラメータ測定装置と、眼鏡装用者の眼鏡作成前に眼鏡装用パラメータを取得する装用パラメータ取得第１手段と、上記眼鏡装用者の眼鏡作成後に眼鏡装用パラメータを取得する装用パラメータ取得第２手段と、上記眼鏡装用者の上記装用パラメータ取得第１手段と装用パラメータ取得第２手段により取得した装用パラメータの数値を用いて比較する比較手段とを備え、上記眼鏡装用パラメータ測定装置が測定する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであることを特徴とするものである。
【００３０】
本発明の第９の態様に係る眼鏡装用検査システムは、眼鏡装用者に適した眼鏡を作製するために必要な眼鏡装用パラメータを測定する眼鏡装用パラメータ測定装置と、眼鏡装用者の眼鏡作成前に眼鏡装用パラメータを取得する装用パラメータ取得第１手段と、上記眼鏡装用者の眼鏡作成後に眼鏡装用パラメータを取得する装用パラメータ取得第２手段と、上記眼鏡装用者の上記装用パラメータ取得第１手段と装用パラメータ取得第２手段により取得した装用パラメータの数値を用いて比較する比較手段と、この比較手段により得られた数値に基づき眼鏡の装用状態の適否を判定して検証する検証手段とを備え、上記眼鏡装用パラメータ測定装置が測定する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであることを特徴とするものである。
【００３１】
本発明の第１０の態様に係る眼鏡装用検査システムは、第８または第９の態様に記載の発明において、上記眼鏡装用パラメータ測定装置と情報交換可能に接続された顧客データベースを備え、上記眼鏡装用パラメータ取得第１手段あるいはまた眼鏡装用パラメータ取得第２手段により取得した眼鏡装用パラメータの数値が上記顧客データベースに記録可能であり、上記比較手段は、上記装用パラメータ取得第１手段と装用パラメータ取得第２手段により取得した同一眼鏡装用者の眼鏡装用パラメータとを数値を用いて比較することを特徴とするものである。
【００３２】
本発明の第１１の態様に係る眼鏡装用検査システムは、眼鏡装用者に適した眼鏡を作製するために必要な眼鏡装用パラメータを測定する眼鏡装用パラメータ測定装置と、上記眼鏡装用パラメータ測定装置と情報交換可能に接続され、少なくとも眼鏡装用パラメータが記憶可能な記憶手段と、上記記憶手段より眼鏡装用パラメータを取得する装用パラメータ取得手段と、上記眼鏡装用パラメータ測定装置により測定した現時点での眼鏡装用パラメータと上記眼鏡装用パラメータ取得手段により取得した同一眼鏡装用者の眼鏡装用パラメータとを、数値を用いて比較する比較手段とを備え、上記眼鏡装用パラメータ測定装置が測定する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであることを特徴とするものである。
【００３３】
本発明の第１２の態様に係る眼鏡装用パラメータ測定装置は、眼鏡装用者に適した眼鏡を作製するために必要な眼鏡装用パラメータを測定する眼鏡装用パラメータ測定装置において、眼鏡フレームを装用した眼鏡装用者を遠方視状態または近方視状態に設定し、この近方視状態では、眼球回旋角と近方視目的距離の少なくとも一方を任意に変更可能とする固視手段と、この固視手段により遠方視状態または近方視状態に設定された眼鏡装用者を撮影装置により撮影し、その画像を取り込む画像入力手段と、この画像入力手段によって得られた撮像画像に基づき上記眼鏡装用パラメータを計測し演算する計測演算手段とを有することを特徴とするものである。
【００３４】
本発明の第１３の態様に係る眼鏡装用パラメータ測定装置は、第１２の態様に記載の発明において、上記計測演算手段が計測し演算する眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つであることを特徴とするものである。
【００３５】
本発明の第１４の態様に係る眼鏡装用パラメータ測定装置は、第１２または第１３の態様に記載の発明において、上記固視手段は、眼鏡装用者の眼球の回旋点を中心に上記撮影装置と連動して回旋移動させ、この撮影装置の光軸を上記眼球の視軸に常時一致させた状態に保持することを特徴とするものである。
【００３６】
本発明の第１５の態様に係る眼鏡装用パラメータ測定装置は、第１２乃至第１４の態様のいずれかに記載の発明において、上記眼鏡装用パラメータの眼球回旋角及び近方視目的距離は、眼鏡装用者に適した近方視状態を確認させながら、固視手段により変更して決定されて測定されることを特徴とするものである。
【００３７】
本発明の第１６の態様に係る眼鏡装用パラメータ測定装置は、第１２乃至第１５の態様のいずれかに記載の発明において、上記眼鏡装用パラメータの遠方視眼鏡装用距離及び近方視眼鏡装用距離は、上記眼鏡フレームの立体形状を考慮して算出されて測定されることを特徴とするものである。
【００３８】
本発明の第１７の態様に係る眼鏡装用パラメータ測定装置は、第１２乃至第１６の態様のいずれかに記載の発明において、上記眼鏡装用パラメータの近方視瞳孔間距離は、眼鏡装用者が装用した眼鏡の眼鏡レンズ面上において算出されて測定されることを特徴とするものである。
【００３９】
本発明の第１８の態様に係る眼鏡装用パラメータ測定装置は、第１２乃至第１７の態様のいずれかに記載の発明において、上記固視手段が設定する遠方視状態における固視灯が、虚像として形成されることを特徴とするものである。
【００４０】
本発明の第１９の態様に係る眼鏡装用パラメータ測定装置は、第１２乃至第１８の態様のいずれかに記載の発明において、上記計測演算手段は、眼鏡装用者の瞬きを検知し、瞬きが発生していないときに眼鏡装用者を撮影することを特徴とするものである。
【００４１】
本発明の第２０の態様に係る眼鏡レンズは、第１２乃至第１９の態様のいずれかに記載の眼鏡装用パラメータ測定装置により測定された眼鏡装用パラメータのうち、少なくとも一つを用いて光学設計を行ない作製されることを特徴とするものである。
【００４２】
本発明の第２１の態様に係る眼鏡は、第１２乃至第１９の態様のいずれかに記載の眼鏡装用パラメータ測定装置により測定された眼鏡装用パラメータのうち、少なくとも一つを用いて作製されることを特徴とするものである。
【発明の効果】
【００４３】
本発明の第１または第３の態様によれば、製造側コンピュータが、眼鏡装用パラメータを含む眼鏡を作製するために必要な眼鏡装用者個々人のデータを受信又は入力可能に構成されたことから、このデータを眼鏡レンズまたは眼鏡の作製に供することで、眼鏡装用者個々人に最適な専用の眼鏡レンズまたは眼鏡を供給することができる。
【００４４】
本発明の第２、第４、または第５の態様によれば、発注側コンピュータが、眼鏡装用パラメータを含む眼鏡を作製するために必要な眼鏡装用者個々人のデータを、製造側コンピュータに送信可能に構成されたことから、製造側コンピュータが、眼鏡装用パラメータを含む眼鏡を作製するために必要な眼鏡装用者個々人のデータを発注側コンピュータから受信し、このデータを眼鏡レンズまたは眼鏡の作製に供することで、眼鏡装用者個々人に最適な専用の眼鏡レンズまたは眼鏡を供給することができる。
【００４５】
本発明の第３または第４の態様によれば、発注側コンピュータと製造側コンピュータの少なくとも一方における顧客データベースに、眼鏡装用パラメータを含む眼鏡を作製するために必要な眼鏡装用者個々人のデータが記録保存されることから、眼鏡装用者が新たに眼鏡を作る場合や、処方を変えて眼鏡を作る場合、或いは眼鏡店などの発注側において眼鏡装用者である顧客の眼鏡に関する履歴を更新する場合に、顧客データベースが有効に機能する。
【００４６】
また、顧客データベースに、眼鏡装用パラメータを含む眼鏡を作製するために必要な眼鏡装用者個々人のデータが記録保存されることから、製造側コンピュータが、顧客データベースに保存されたデータを眼鏡レンズまたは眼鏡の製造に供することで、眼鏡装用者個々人に最適な専用の眼鏡レンズまたは眼鏡を供給することができる。
【００４７】
本発明の第６の態様によれば、眼鏡装用パラメータを含む眼鏡を作製するために必要な眼鏡装用者個々人のデータを用いて眼鏡レンズが光学設計されて作製されるので、眼鏡レンズを眼鏡装用者個々人に最適な専用の眼鏡レンズとすることができる。
【００４８】
本発明の第７の態様によれば、眼鏡装用パラメータを含む眼鏡を作製するために必要な眼鏡装用者個々人のデータを用いて眼鏡が作製されるので、この眼鏡を眼鏡装用者個々人に最適な専用の眼鏡とすることができる。
【００４９】
本発明の第８または第１０の態様によれば、眼鏡装用検査システムが、眼鏡装用者に適した眼鏡を作製するために必要な眼鏡装用パラメータを測定する眼鏡装用パラメータ測定装置と、眼鏡装用者の眼鏡作成前に眼鏡装用パラメータを取得する装用パラメータ取得第１手段と、眼鏡装用者の眼鏡作成後に眼鏡装用パラメータを取得する装用パラメータ取得第２手段と、眼鏡装用者の装用パラメータ取得第１手段と装用パラメータ取得第２手段により取得した装用パラメータの数値を用いて比較する比較手段を有することから、この比較手段により得られた数値によって、眼鏡の装用状態を客観的に適切に比較し検証できる。
【００５０】
本発明の第９または第１０の態様によれば、眼鏡装用検査システムが、眼鏡装用者に適した眼鏡を作製するために必要な眼鏡装用パラメータを測定する眼鏡装用パラメータ測定装置と、眼鏡装用者の眼鏡作成前に眼鏡装用パラメータを取得する装用パラメータ取得第１手段と、眼鏡装用者の眼鏡作成後に眼鏡装用パラメータを取得する装用パラメータ取得第２手段と、眼鏡装用者の装用パラメータ取得第１手段と装用パラメータ取得第２手段により取得した装用パラメータの数値を用いて比較する比較手段と、この比較手段により得られた数値に基づき眼鏡の装用状態の適否を判定して検証する検証手段とを有することから、この検証手段によって眼鏡の装用状態を迅速且つ的確に検証できる。
【００５１】
本発明の第１１の態様によれば、眼鏡装用検査システムが、眼鏡装用者に適した眼鏡を作製するために必要な眼鏡装用パラメータを測定する眼鏡装用パラメータ測定装置と、眼鏡装用パラメータ測定装置と情報交換可能に接続され、少なくとも眼鏡装用パラメータが記憶可能な記憶手段と、記憶手段より眼鏡装用パラメータを取得する装用パラメータ取得手段と、眼鏡装用パラメータ測定装置により測定した現時点での眼鏡装用パラメータと眼鏡装用パラメータ取得手段により取得した同一眼鏡装用者の眼鏡装用パラメータとを、数値を用いて比較する比較手段とを有することから、
この比較手段により得られた数値によって、現時点における眼鏡の装用状態を客観的に適切に比較し検証できる。
【００５２】
本発明の第１２または第１３の態様によれば、眼鏡装用者を遠方視状態または近方視状態に設定し、この近方視状態では、眼球回旋角と近方視目的距離の少なくとも一方を任意に変更可能とする固視手段と、この固視手段により遠方視状態または近方視状態に設定された眼鏡装用者を撮影装置により撮影し、その画像を取り込む画像入力手段と、この画像入力手段によって得られた撮像画像に基づき上記眼鏡装用パラメータを計測し演算する計測演算手段と、を有することから、遠方視と近方視の眼鏡装用パラメータを高精度に測定できる。この結果、これらの高精度に測定された眼鏡装用パラメータに基づき、眼鏡装用者個々人に最適な専用の眼鏡レンズを設計でき、眼鏡を製作できる。
【００５３】
また、固視手段による遠方視状態と近方視状態のそれぞれにおいて眼鏡装用パラメータを測定できることから、眼鏡装用者が装用する眼鏡の眼鏡レンズの種類によって、必要な眼鏡装用パラメータを選択できるので、不必要な眼鏡装用パラメータの測定を省略して測定を迅速化できる。
【００５４】
本発明の第１４の態様によれば、固視手段が、撮影装置の光軸を眼鏡装用者の眼球の視軸に常時一致させた状態に保持して、上記撮影装置を眼鏡装用者の眼球の回旋点を中心に回旋移動させ、眼鏡装用者を遠方視状態と近方視状態に設定することから、近方視状態においても、遠方視状態と同様に、撮影入力手段が眼鏡装用者を適切に撮影できるので、この撮像画像に基づき眼鏡装用パラメータを高精度に測定できる。
【００５５】
本発明の第１５の態様によれば、眼鏡装用パラメータの眼球回旋角及び近方視目的距離が、眼鏡装用者に適した近方視状態を確認させながら、固視手段により変更して決定されることから、眼鏡装用者に最適な眼球回旋角及び近方視目的距離を測定することができる。
【００５６】
本発明の第１６の態様によれば、遠方視眼鏡装用距離及び近方視眼鏡装用距離が、眼鏡フレームの立体形状を考慮して算出されることから、計測された装用距離のそれぞれを上記立体形状により修正することで、これらの遠方視眼鏡装用距離及び近方視眼鏡装用距離を高精度に測定できる。
【００５７】
本発明の第１７の態様によれば、近方視瞳孔間距離が、眼鏡装用者が装用した眼鏡の眼鏡レンズ面上において算出されることから、眼鏡を作製するために必要な近方視瞳孔間距離を最適な値として測定できる。
【００５８】
本発明の第１８の態様によれば、固視手段が設定する遠方視状態における固視灯が虚像として形成されることから、この遠方視状態における固視灯を実像として形成する場合に比べ、眼鏡装用パラメータ測定装置を小型化できる。
【００５９】
本発明の第１９の態様によれば、計測演算手段が眼鏡装用者の瞬きを検知し、瞬きが発生していないときに眼鏡装用者を撮影することから、眼鏡装用者の顔画像の撮影失敗を低減でき、眼鏡装用パラメータ測定装置による眼鏡装用パラメータの測定時間を短縮できる。
【００６０】
本発明の第２０の態様によれば、眼鏡装用パラメータ測定装置により高精度に測定された眼鏡装用パラメータを用いて眼鏡レンズが作製されるので、この眼鏡レンズを、眼鏡装用パラメータが測定された眼鏡装用者の個々人に最適な専用の眼鏡レンズとすることができる。
【００６１】
本発明の第２１の態様によれば、眼鏡装用パラメータ測定装置により高精度に眼鏡装用パラメータが測定されるので、この眼鏡装用パラメータに基づき作製される眼鏡は、眼鏡装用パラメータが測定された眼鏡装用者の個々人に最適な専用の眼鏡とすることができる。
【図面の簡単な説明】
【００６２】
【図１】本発明に係る眼鏡レンズ供給システム、眼鏡装用パラメータ測定装置、眼鏡装用検査システムの一実施形態を示す通信回線図である。
【図２】図１における眼鏡装用パラメータ測定装置を、一部を破断して示す側面図である。
【図３】図２のIII矢視図である。
【図４】図２の可動ユニットを示す側面図である。
【図５】図４のV矢視図である。
【図６】図２の測定装置本体が眼鏡装用者を撮影するときの状況を示す側面図であり、（Ａ）が遠方視状態測定位置、（Ｂ）が近方視状態測定位置での撮影状況を示す図である。
【図７】図３の側面用撮像カメラ及びミラーの配置状況を概略して示す正面図である。
【図８】図２及び図３のカバーを示す斜視図である。
【図９】図１の装置制御用端末が格納する計測プログラムを示す構成図である。
【図１０】眼鏡装用者のデータを入力するためのデータ入力画像の一例を示す図である。
【図１１】撮影メニュー画面の一例を示す図である。
【図１２】測定・比較メニュー画面の一例を示す図である。
【図１３】眼鏡装用者の遠方視状態を撮影するための撮影画面の一例を示す図である。
【図１４】眼鏡装用者の近方視状態を撮影するための撮影画面の一例を示す図である。
【図１５】眼鏡装用者の遠方視状態における正面画像を表す計測画面の一例を示す図である。
【図１６】（Ａ）は、図１５の計測画面において、遠方視瞳孔間距離を計測する際の説明図、（Ｂ）は、図１６（Ａ）の両眼瞳孔上における反射光量の変化を示すグラフ、(Ｃ)は、眼鏡の作製前後における遠方視瞳孔間距離を比較するための比較画面を示す説明図である。
【図１７】近方視瞳孔間距離を求める方法を示す説明図である。
【図１８】（Ａ）は、眼鏡装用者の遠方視状態における側面画像を表す計測画面の一例を示す図、(Ｂ)は、眼鏡の作製前後における遠方視眼鏡装用距離及び遠方視眼鏡フレーム装用角度を比較するための比較画面を示す説明図である。
【図１９】眼鏡装用パラメータの保存画面の一例を示す図である。
【図２０】眼鏡装用パラメータの測定手順、比較検証手順等を示すフローチャートである。
【図２１】眼鏡装用パラメータのうち、遠方視眼鏡装用距離、近方視眼鏡装用距離、眼球回旋角、近方視目的距離などを説明するための説明図である。
【図２２】眼鏡装用パラメータのうち、（Ａ）が遠方視瞳孔間距離を、（Ｂ）が近方視瞳孔間距離をそれぞれ説明するための説明図である。
【図２３】眼鏡装用パラメータのうち、眼鏡フレーム装用角度を説明するための説明図である。
【図２４】フレームあおり角を説明するための説明図である。
【図２５】図１における顧客データベースの内容の一部を例示する図である。
【発明を実施するための形態】
【００６３】
以下、本発明を実施するための最良の形態を、図面に基づき説明する。
図１は、本発明に係る眼鏡レンズ供給システム、眼鏡装用パラメータ測定装置、及び眼鏡装用検査システムの一実施形態を示す通信回線図である。この図１に示すように、眼鏡レンズ供給システム１００は、眼鏡店、眼科医院または個人などの眼鏡レンズ発注側に設置された発注側コンピュータとしての眼鏡店端末７０と、眼鏡レンズ製造業者における工場などの眼鏡レンズ製造側に設置された製造側コンピュータとしての工場サーバ１０１と、眼鏡装用者の眼鏡装用パラメータを測定すると共に、上記眼鏡店端末７０に接続された眼鏡装用パラメータ測定装置３０と、を有して構成される。
【００６４】
眼鏡店端末７０と工場サーバ１０１とは、インターネットなどの公衆通信回線１０２を介して接続されて互いに情報交換可能に構成され、眼鏡の作製に必要なデータを情報交換しながら、眼鏡レンズまたは眼鏡の受注及び発注に必要な処理を実行する。眼鏡店端末７０は、記憶手段としての顧客データベース７１を有し、この顧客データベース７１との間で、眼鏡の作製に必要なデータを情報交換可能とする。また、工場サーバ１０１は、記憶手段としての顧客データベース１０３を有し、この顧客データベース１０３との間で、眼鏡の作製に必要なデータを情報交換可能とする。
本実施例において顧客データベースは眼鏡店側と工場側のいずれにも有している形態となっているが、いずれか一方に有していても構わない。
さらに眼鏡店側の顧客データベース７１は眼鏡装用パラメータ測定装置３０に組み込まれていても構わないし、顧客データベース７１および眼鏡店端末７０が眼鏡装用パラメータ測定装置３０に組み込まれた形態になっても構わない。このときこの組み込まれた装置単独で眼鏡装用検査システムを構成するようにしても良い。
眼鏡店側の顧客データベース７１または工場側の顧客データベース１０３の記憶媒体としては、例えば、ハードディスク、ＣＤ−ＲＯＭ等である。
【００６５】
ここで、上述の眼鏡の作製に必要なデータとは、図２５に示すように顧客個人データＸ、眼鏡レンズデータＷ、眼鏡処方データＹ、眼鏡フレームデータＺ、眼鏡装用パラメータＶ、加工指定データ（不図示）の少なくとも一つであり、眼鏡装用者の個々人ごとに作製されて、例えばディスプレイ画面に表示される形態で顧客データベース７１あるいはまた１０３に記録されて保存される。
【００６６】
顧客個人データＸは、顧客のＩＤ、性別、氏名、電話番号、住所、誕生日、年齢、職種、趣味、受注ラボ、受注日、受注元名、発注元住所、発注元電話番号などであり、図２５（Ａ）に示される。図２５（Ｂ）は「第１回登録処方箋」であり、顧客個人データＸで示される特定の顧客（即ち眼鏡装用者）が最初に発注したときの処方内容を示したものである。この「第１回登録処方箋」に、眼鏡レンズデータＷ、眼鏡処方データＹ、眼鏡フレームデータＺ、眼鏡装用パラメータＶ、加工指定データなどが表示されるほか、老視、近視、乱視などの種別、症状（主訴）、使用目的、受注回数などが表の形式で表示される。
【００６７】
上記眼鏡レンズデータＷは、眼鏡レンズの商品名、レンズ材質、屈折率、コーティングなどである。また、眼鏡処方データＹは、眼鏡レンズの球面度数「ＳＰＨ」（単位：ｄｐｔ）、乱視度数「ＣＹＬ」（単位：ｄｐｔ）、乱視軸「ＡＸＳ」（単位：°）、加入度「ＡＤＤ」（単位：ｄｐｔ）、Ｘ方向プリズム度数「ＰＸ」（単位：△ｄｐｔ）、Ｙ方向プリズム度数「ＰＹ」（単位：△ｄｐｔ）などである。更に、上記眼鏡フレームデータは、眼鏡フレームのフレーム番号、フレーム名称、フレーム素材、フレームの色や形状などである。尚、図２５（Ｂ）中の「Ｌ」は左眼、「Ｒ」は右眼を示す。
【００６８】
上記加工指定データは、眼鏡レンズの厚さを必要最小値とする加工指定や、眼鏡レンズの縁厚を目立たなくするための面取り加工の指定などを言う。また、上記眼鏡装用パラメータＶは、眼鏡装用パラメータ測定装置３０の説明において後述するが、遠方視瞳孔間距離「ＦＰＤ」（単位：ｍｍ）、近方視瞳孔間距離「ＮＰＤ」（単位：ｍｍ）、遠方視眼鏡装用距離「ＦＶＤ」（単位：ｍｍ；後述の「Ａ」と同じ）、近方視眼鏡装用距離「ＮＶＤ」（単位：ｍｍ；後述の「Ｂ」と同じ）、眼鏡フレーム装用角度「ＳＴ」（単位：°；後述の「α」と同じ）、眼球回旋角「ＲＡ」（単位：°；後述の「θ」と同じ）、近方視目的距離「ＯＤＳ」（単位：ｍｍ；後述の「ＮＬ」と同じ）の少なくとも一つである。同一の顧客（即ち眼鏡装用者）が２回目に発注を行った場合には、「第２回登録処方箋」が「第１回登録処方箋」と同様に作製されて、顧客データベース７１あるいはまた１０３に記録されて保存される。
【００６９】
前記眼鏡店端末７０は、前述のごとく、眼鏡を作製するために必要な眼鏡装用者個々人のデータを工場サーバ１０１との間で情報交換する。つまり、この眼鏡店端末７０は、モニター上の案内画面に従って、上記眼鏡の作製のために必要な眼鏡装用者個々人のデータを工場サーバ１０１へ送信すると共に、未加工眼鏡レンズと、周縁を眼鏡フレーム形状に加工した加工済み眼鏡レンズと、眼鏡レンズを眼鏡フレームに組み込んだ眼鏡とのうちから発注形態を指定して送信し、工場サーバ１０１から眼鏡レンズ等の仕上がり予想形状に関するデータ供給のサービスを受けて発注処理を実行する。上記眼鏡レンズ等の仕上がり予想形状は、工場サーバ１０１が、眼鏡店端末７０から受信した眼鏡レンズの作製のために必要な眼鏡装用者個々人のデータに基づき演算したものであり、眼鏡レンズ作製前に眼鏡店端末７０へ確認のために送信するものである。
【００７０】
工場サーバ１０１は、上述のごとく公衆通信回線１０２を介して眼鏡店端末７０に接続されると共に、工場内における図示しない加工装置及び測定装置に接続される。そして、この工場サーバ１０１は、眼鏡店端末７０により受信した眼鏡の作製のために必要な眼鏡装用者個々人のデータから眼鏡レンズ等の仕上がり予想形状を演算すると共に、当該データを加工装置及び測定装置へ送信して眼鏡レンズまたは眼鏡の作製に供し、発注形態に応じて加工装置に眼鏡レンズまたは眼鏡を製造させて、眼鏡装用者へ提供する。
【００７１】
工場サーバ１０１は、眼鏡店端末７０から受信した眼鏡作製のために必要な眼鏡装用者個々人のデータ、眼鏡レンズ等の仕上がり予想形状データ、及び加工データを顧客データベース１０３に記録し保存して管理する。また、この工場サーバ１０１は、図示しない在庫管理システム、会計管理システム、発注システムなどの眼鏡レンズ等の受・発注に関連した各システムにも接続されて、情報交換可能に構成されている。
【００７２】
更に、工場サーバ１０１は、入・出力部、演算制御部、データベース部等を有する。入・出力部は、例えば、キーボード、マウス、フロッピー（登録商標）ディスク（ＦＤ）、ＣＤ−Ｒ等による入力手段と、ディスプレイ、プリンタ等の出力手段とを備えている。また、上記データベース部には、顧客データベース１０３、レンズ設計表（レンズデータテーブル）、レンズ加工テーブル等が格納されている。
【００７３】
上記演算制御部は、ＣＰＵ，ＲＯＭ，ＲＡＭ等から構成されており、通常のコンピュータが備えている一般的な制御プログラムの他、レンズ設計プログラム、光学性能評価プログラム、レンズ加工プログラム、特殊制御プログラム等が組み込まれている。
【００７４】
レンズ設計プログラムには、データベース部とアクセスしながらレンズ凹凸面のカーブ、レンズ厚などを計算する光学設計プログラムや、レンズ重量計算プログラムその他のレンズ設計に必要なプログラムが含まれる。また、上記光学性能評価プログラムには、非点収差、像面湾曲、歪曲収差等のレンズの光学性能を求めて評価するプログラムが含まれる。光学性能が所定の性能を満足しないときにはレンズ設計プログラムに戻って再設計を行い、光学性能が所定の性能を満足する場合に次のステップへ移行する。
【００７５】
上記レンズ加工プログラムには、前記データベース部とアクセスしながら、レンズ屈折面形状、レンズ玉型形状、ヤゲン加工形状等の眼鏡レンズの加工に必要なデータをまとめて加工データを作成するプログラムが含まれる。また、上記特殊制御プログラムには、顧客データベース１０３等とアクセスして、データの読み出し、照合、記憶（一時記憶も含む）、書き込み、更新、新規追加等を実行するための顧客データ読み出し・書き込みプログラム、データ照合プログラム、あるいは、レンズ形状、レンズ厚比較表などのグラフィック表示プログラム等が含まれる。
【００７６】
前記眼鏡装用パラメータ測定装置３０は、眼鏡装用者に適した眼鏡を作製するための眼鏡装用パラメータを測定するものであり、後述のごとく、計測プログラムソフトを含む装置制御用端末３２を有する。この装置制御用端末３２は、眼鏡店端末７０を介して、眼鏡装用パラメータを含む眼鏡の作製のために必要な眼鏡装用者個々人のデータを顧客データベース７１との間で情報交換し、更に、当該データを眼鏡店端末７０及び工場サーバ１０１を介して顧客データベース１０３との間で情報交換して、当該データを顧客データベース７１または１０３から取り込み、または顧客データベース７１あるいはまた１０３に記録保存させる。更に、眼鏡装用パラメータ測定装置３０は、測定装置本体３１と上記装置制御用端末３２とを有して構成される。
【００７７】
図２は、図１における眼鏡装用パラメータ測定装置を、一部を破断して示す側面図である。図３は、図２のIII矢視図である。
【００７８】
ここで、上記眼鏡装用パラメータは、遠方視瞳孔間距離、近方視瞳孔間距離、遠方視眼鏡装用距離、近方視眼鏡装用距離、眼鏡フレーム装用角度、眼球回旋角、近方視目的距離の少なくとも１つである。これらの眼鏡装用パラメータを、図２１〜図２３を用いて以下に説明する。
【００７９】
遠方視瞳孔間距離とは、５ｍ以上の遠方を注視しているときの左眼８２と右眼８３の瞳孔間距離であり、図２２における遠方視正面画像のＦＰＤである。近方視瞳孔間距離とは、近方視目的距離（通常は３０〜５０ｃｍ程度）にある対象物を注視したときの左眼８２と右眼８３の瞳孔間距離であり、図２２における近方視正面画像のＮＰＤである。遠方視装用距離（頂点間距離）とは、図２１において、眼鏡装用者の遠方視軸１７上における眼鏡レンズ１３の裏面から当該眼鏡装用者の眼球(被検眼１１)の角膜頂点までの距離であり、図中のＡである。近方視装用距離とは、図２１において、眼鏡装用者の近方視軸１８上における眼鏡レンズ１３の裏面から当該眼鏡装用者の眼球(被検眼１１)の角膜頂点までの距離であり、図中のＢである。また図中のＶＲは被検眼１１の角膜頂点から眼球回旋点１２までの距離を示す。
【００８０】
一般に、近方視状態（たとえば読書）においては、眼鏡装用者である被検者は、眼球(被検眼１１)の回旋点１２を中心に被検眼１１を回旋し、視線を下げて近方視目標を観察する。眼球回旋角θとは、回旋点１２を中心に遠方視軸１７から近方視軸１８まで視線を下げたときに両視軸１７、１８がなす角度である。近方視目的距離とは、近方視状態において近方視目的物を観察するときの眼(被検眼１１)から近方視目的物までの距離であり、図中のＮＬである。尚、図中のＦＬは、遠方視状態において遠方視目的物を観察するときの眼(被検眼１１)から遠方視目的物までの距離である。
【００８１】
図２３に示すように、眼鏡フレーム１４のテンプル１６とリム１５のなす角度を一般にフレーム傾斜角と言うが、本実施形態における眼鏡フレーム装用角度は、遠方視状態での眼鏡装用者の遠方視軸１７を光軸とし、その光軸と眼鏡フレーム１４のリム１５で形成される玉型のなす角度αを言うこととする。また、フレームあおり角とは、各眼鏡フレーム１４によって異なり、図２４において、眼鏡フレーム１４を真上から観察したときにリム１５で形成される玉型がブリッジ１９に対してなす角度βを言う。
【００８２】
さて、前記測定装置本体３１は、図２に示すように、湾曲形状の一対の軌道フレーム３６を備えたフレームユニット３３と、軌道フレーム３６上を移動する可動ユニット３４と、眼鏡装用者である被検者１０の顔を位置決めする位置決めユニット３５とを有して構成される。
【００８３】
フレームユニット３３は、基台３７に支柱フレーム３８が立設され、上記軌道フレーム３６が基台３７に立設されると共に支柱フレーム３８に立て掛けられて支持される。各軌道フレーム３６の軌道面にラックレール３９が敷設されている。
上記基台３７には、図３にも示すように、位置決めユニット３５の位置決めメインフレーム４０及び位置決めサブフレーム４１が立設される。位置決めメインフレーム４０の上部に、被検者１０の顎を載せる顎受け台４２と、被検者１０の額を当てる額当て部４３が設けられる。額当て部４３は、額当て支柱４４を介して顎受け台４２に支持され、この額当て支柱４４に、被検者１０の眼の高さを一致させるための基準マーク４５が設けられている。
【００８４】
ところで、前記可動ユニット３４のユニットフレーム４６には、図４及び図５に示すように、同期回転可能な一対の駆動ギア４７が回転自在に配設され、この駆動ギア４７の図における上方に、同じく一対の駆動ギア４８が回転自在に配設される。これらの駆動ギア４７及び４８が軌道フレーム３６のラックレール３９に噛み合っている。また、ユニットフレーム４６には、駆動ギア４７と４８の反対側にガイドローラ４９が回転自在に軸支され、これらのガイドローラ４９が軌道フレーム３６の背面レール部５０に嵌合されている。
【００８５】
ユニットフレーム４６には更に回旋用モータ５１が設置され、この回旋用モータ５１のモータシャフトにウォーム５２が回転一体に取り付けられる。このウォーム５２は、一対の駆動ギア４７を連結するシャフトに設けられたウォームホイール５３に噛み合い、回旋用モータ５１の駆動力がウォーム５２及びウォームホイール５３を介して駆動ギア４７へ伝達され、更にタイミングベルト５４を介して駆動ギヤ４８へ伝達される。駆動ギヤ４７及び４８が軌道フレーム３６のラックレール３９に噛み合って回旋用モータ５１により回転駆動され、このときガイドローラ４９が軌道フレーム３６の背面レール部５０を転動することで、可動ユニット３４は軌道フレーム３６の湾曲形状に沿って回旋移動する。図２に示すように、この可動ユニット３４の回旋移動の中心が、位置決めユニット３５により
位置決めされた被検者１０の眼球の回旋点１２となるように設計されている。
【００８６】
図４及び図５に示すように、可動ユニット３４のユニットフレーム４６には駆動ねじ５５が、その軸回りに回転自在に立設される。この駆動ねじ５５に、発光ダイオード（ＬＥＤ）などの光源５６を支持する光源支持部５７が螺合される。上記ユニットフレーム４６には光源用モータ５８が設置され、この光源用モータ５８の駆動力は、タイミングベルト５９を経て駆動ねじ５５へ伝達され、当該駆動ねじ５５を回転させる。これにより、光源支持部５７を介して光源５６が、後述のレンズ６０に対し接近または離反する方向に移動可能に設けられる。
【００８７】
上記レンズ６０は可動ユニット３４のユニットフレーム４６に設置され、このレンズ６０の光軸上に上記光源５６が配置される。これらのレンズ６０及び光源５６を有する可動ユニット３４が、眼鏡フレームを装用した眼鏡装用者を遠方視状態または近方視状態のそれぞれの測定位置に設置する固視手段を構成する。これらの遠方視状態と近方視状態のそれぞれの測定位置の設定は、光源５６をレンズ６０に対し接近または離反して移動させると同時に、可動ユニット３４を軌道フレーム３６の湾曲形状に沿って回旋移動させることにより実現される。
【００８８】
つまり、図６に示すように、光源５６とレンズ６０との間隔を任意の距離とすることにより、眼鏡装用者である被検者１０に遠方視状態と近方視状態の光源５６の像を固視灯（遠方視目的物、近方視目的物）として観察させる。と同時に、可動ユニット３４を軌道フレーム３６の湾曲形状に沿って回旋移動させることにより、遠方視状態測定位置（図６（Ａ））では、被検者１０における被検眼１１の略水平方向の遠方視軸１７上に光源５６の像を発生させ、近方視状態測定位置（図６（Ｂ））では、被検者１０における被検眼１１の遠方視軸１７から下方へ所定の眼球回旋角θだけ回旋させた近方視軸１８上に、光源５６の像を発生させる。これらにより、遠方視状態と近方視状態のそれぞれの測定位置の設定が実現される。
【００８９】
特に、図６(Ｂ)に示す近方視状態測定位置では、可動ユニット３４が軌道フレーム３６の湾曲形状に沿って任意の位置まで回旋移動することで眼球回旋角θが任意に変更可能とされ、更に、光源５６とレンズ６０との距離が調整されることで近方視目的距離ＮＬが任意に変更可能とされる。尚、これらの眼球回旋角θと近方視目的距離ＮＬはいずれか一方が変更可能に構成されてもよい。また、光源５６は、本実施形態では、レンズ６０に対し接離されて遠方視用と近方視用とで兼用されているが、遠方視用の光源と近方視用の光源とを別々に設けてもよい。
【００９０】
図４及び図５に示すように、可動ユニット３４のユニットフレーム４６には、レンズ６０の図における下方に、ビームスプリッタとして機能するハーフミラー６１が配置される。このハーフミラー６１は、光源５６から発した光を反射して位置決めユニット３５側へ向かわせるべく４５°に傾斜して配置される。そして、ユニットフレーム４６においてハーフミラー６１の後方に、撮影装置としての正面用撮像カメラ６２が設置される。この正面用撮像カメラ６２は、撮像レンズを有する例えばＣＣＤカメラなどである。
【００９１】
前記可動ユニット３４は、図２に示すように、被検者１０の眼球(被検眼１１)の回旋点１２を中心に軌道フレーム３６の湾曲形状に沿って回旋移動するとき、この可動ユニット３４に設置された正面用撮像カメラ６２を同様に回旋移動させる。このとき、正面用撮像カメラ６２の光軸は、図６に示すように、被検者１０の遠方視軸１７または近方視軸１８に常時一致した状態に保持される。従って、この正面用撮像カメラ６２は、可動ユニット３４により遠方視状態または近方視状態のそれぞれの測定位置に設置された被検者１０の顔の正面を、ハーフミラー６１を通して撮影してその画像を取り込む。尚、上記ハーフミラー６１の透過と反射の比率は、７：３を用いているが、特に定めるものではない。また、このハーフミラー６１と位置決めユニット３５に位置決められる被検者１０の眼との距離は、約７０ｃｍに設定されている。
【００９２】
図２及び図３に示すように、位置決めユニット３５の位置決めサブフレーム４１に側面用撮像カメラ６３、ミラー６４及び６５が設置される。側面用撮像カメラ６３は、顎受け台４２の図３における左下方に設置され、撮像レンズを有する例えばＣＣＤカメラである。ミラー６４はこの側面用撮像カメラ６３の近傍に、ミラー６５は額当て部４３の近傍に、それぞれ４５°に傾斜して設置される。可動ユニット３４により遠方視状態または近方視状態のそれぞれの測定位置に設定された被検者１０の顔の側面は、図７に示すように、ミラー６５、ミラー６４に順次反射されて側面用撮像カメラ６３により撮影され、その画像が取り込まれる。上記正面用撮像カメラ６２、ハーフミラー６１、側面用撮像カメラ６３、ミラー６４及び６５が、撮像入力手段として機能する。
【００９３】
図２に示すように、前記軌道フレーム３６を備えたフレームユニット３３と、光源５６、レンズ６０、ハーフミラー６１及び正面用撮像カメラ６２等を備えた可動ユニット３４とがカバー６６により被覆される。このカバー６６には、図３及び図８に示すように、正面側に遠方視用窓２７及び近方視用窓２８が開口されている。遠方視用窓２７は、図２に示すように、位置決めユニット３５により顔が位置決めされた被検者１０の遠方視状態において、その被検眼１１の遠方視軸１７がカバー６６を横切る位置に形成される。また、近方視用窓２８は、同様に位置決めユニット３５により顔が位置決めされた被検者１０の近方視状態において、その被検眼１１の近方視軸１８がカバー６６を横切る位置で、眼球回旋角θが変更されることにより当該近方視軸１８が回旋移動する領域に形成される。
【００９４】
図１に示す前記装置制御用端末３２は、図９に示す計測プログラムソフトを格納し、このうちの遠方視状態または近方視状態に設定することが可能な固視灯駆動プログラムソフトを起動させることで、回旋用モータ５１を駆動制御して可動ユニット３４を回旋移動させ、光源用モータ５８を駆動制御して光源５６を移動させ、後述のごとく、近方視状態において眼鏡装用パラメータのうちの眼球回旋角θ及び近方視目的距離ＮＬを決定する。
【００９５】
また、装置制御用端末３２は、測定用プログラムソフトを起動させることによって、正面用撮像カメラ６２及び側面用撮像カメラ６３により撮影されて装置制御用端末３２内に一時記憶された撮像画像をモニター上に呼び出し、この撮像画像に基づき、眼鏡装用パラメータのうちの遠方視瞳孔間距離ＦＰＤ、近方視瞳孔間距離ＮＰＤ、遠方視眼鏡装用距離Ａ、近方視眼鏡装用距離Ｂ及び眼鏡フレーム装用角度αを計測し演算する計測演算手段として機能する。また、計測プログラムソフトのうちの倍率補正プログラムソフトは、正面用撮像カメラ６２と側面用撮像カメラ６３とにおいて撮像された画像の倍率を、後述のごとく補正して一致させる機能を果たす。
【００９６】
更に、装置制御用端末３２は、計測プログラムソフトのうちの測定・比較検証プログラムソフトを起動させることによって、上記測定用プログラムソフトの場合と同様にして、眼鏡作製後の現時点における眼鏡装用者の遠方視瞳孔間距離ＦＰＤ、近方視瞳孔間距離ＮＰＤ、遠方視眼鏡装用距離Ａ、近方視眼鏡装用距離Ｂ及び眼鏡フレーム装用角度αを計測し演算して測定する計測演算手段として機能すると共に、顧客データベース７１あるいはまた１０３に保存された、同一眼鏡装用者における眼鏡作製前の遠方視瞳孔間距離ＦＰＤ、近方視瞳孔間距離ＮＰＤ、遠方視眼鏡装用距離Ａ、近方視眼鏡装用距離Ｂ及び眼鏡フレーム装用角度αを取り込み、この取り込んだ各眼鏡装用パラメータと、上述の如く測定した眼鏡装用パラメータとを数値を用いて比較する比較手段として機能し、更に、この数値に基づき、現時点における眼鏡の装用状態が上記眼鏡装用者にとって適切であるか否かを判定して検証する検証手段として機能する。
【００９７】
これらの機能(計測演算手段、比較手段及び検証手段)を備えた装置制御用端末３２を有する眼鏡装用パラメータ測定装置３０と、上記顧客データベース７１、１０３の少なくとも一つにより、眼鏡装用検査システムが構成される。
【００９８】
この装置制御用端末３２が実行する眼鏡装用パラメータの測定手順及び比較検証手順を、図２０に示すフローチャートを参照してまず概略して説明し、後に詳細に説明する。
【００９９】
まず、眼鏡装用パラメータ測定装置３０に電源を投入して装置制御用端末３２を起動させ（Ｓ１）、正面用撮像カメラ６２及び側面用撮像カメラ６３による撮像画像の倍率補正のためのキャリブレーションを、必要に応じて実行する（Ｓ２）。次に、外部から顧客個人データ、眼鏡処方データ、眼鏡フレームデータを入力し、近方視目的距離ＮＬと眼球回旋角θを任意に入力する（Ｓ３）。
【０１００】
その後、眼鏡装用者である被検者１０の眼を位置決めユニット３５の基準マーク４５（図３）に一致させて、被検者１０の眼の上下方向の位置合わせを実行する（Ｓ４）。この状態で、約５メートル前方に固視灯を点灯させ、被検者１０の遠方視状態における顔の正面及び側面の画像を撮影する（Ｓ５）。
【０１０１】
次に、固視灯を点灯した状態で、近方視目的距離ＮＬと眼球回旋角θを任意に変更させ、被検者１０に適した近方視状態を確認させながら、これらの近方視目的距離ＮＬ及び眼球回旋角θを決定する（Ｓ６）。この状態で、被検者１０の近方視状態における顔の正面及び側面の画像を撮影する（Ｓ７）。
【０１０２】
撮影完了後、装置制御用端末３２のモニター上に測定・比較メニュー画面（図１２）を表示する。この測定・比較メニュー画面においては、「測定」ボタン（つまり、瞳孔間距離測定ボタン８０または装用角度・装用距離測定ボタン８１）と、「測定・比較」ボタン（つまり、瞳孔間距離測定・比較ボタンまたは装用角度・装用距離測定・比較ボタン９１）とのいずれかが選択可能とされる（Ｓ８）。
【０１０３】
この測定・比較メニュー画面において、「測定」ボタンが選択されたときに、撮像された遠方視及び近方視の画像と、外部より入力されたデータに基づき、眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度α）を計測し演算する（Ｓ９）。そして、これらの測定された眼鏡装用パラメータを、撮像画像と共に装置制御用端末３２内に保存し、眼鏡店端末７０を介して顧客データベース７１に保存する（Ｓ１０）。
【０１０４】
この眼鏡装用パラメータ測定装置３０による上述の動作Ｓ１〜Ｓ９の後、眼鏡店端末７０は、顧客データベース７１に保存された眼鏡作製のために必要な眼鏡装用者個々人のデータ(顧客個人データＸ、眼鏡レンズデータＷ、眼鏡処方データＹ、眼鏡フレームデータＺ、眼鏡装用パラメータＶ、加工指定データの少なくとも１つ)を眼鏡製造業者の工場サーバ１０１へ送信(転送)して、眼鏡レンズまたは眼鏡を発注する（Ｓ１１）。
【０１０５】
ステップＳ８の測定・比較メニュー画面において、「測定・比較」ボタンが選択されたときには、作製された眼鏡の眼鏡装用者への装用状態を確認するための測定・比較検証動作を開始する（Ｓ１２）。このときには、ステップＳ５及びＳ７において、作製された眼鏡を装用した眼鏡装用者の遠方視及び近方視の画像が撮像されている。従って、まず、これらの画像と外部より入力されたデータとに基づき、ステップＳ９と同様にして、眼鏡装用パラメータを計測し演算する。
【０１０６】
次に、顧客データベース７１または１０３から、同一の眼鏡装用者において当該眼鏡作製のためにこの眼鏡作製前に測定した眼鏡装用パラメータを取り込む（Ｓ１３）。そして、この取り込んだ眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれ）と、ステップＳ１２において測定した眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれ）とを数値を用いて比較し、判定して検証する（Ｓ１４）。
【０１０７】
ステップＳ１４の比較検証において眼鏡装用パラメータのそれぞれが許容範囲内にあれば、ステップＳ１２にて測定した眼鏡装用パラメータと、ステップＳ１４において比較した比較データとを、作製された眼鏡を装用した眼鏡装用者の撮像画像と共に顧客データベース７１あるいはまた１０３に保存する（Ｓ１５）。また、ステップＳ１４の比較検証において、眼鏡装用パラメータのいずれかが許容範囲を超えた場合には、眼鏡フレーム１４をフィッティング調整した後、ステップＳ４以降の動作（Ｓ４〜Ｓ８及びＳ１２〜Ｓ１４）を繰り返す。
【０１０８】
［起動（Ｓ１）］
図１において、眼鏡装用パラメータ測定装置３０の測定装置本体３１に電源が投入されると、この測定装置本体３１に接続された装置制御用端末３２が起動する。
【０１０９】
［キャリブレーション（Ｓ２）］
正面顔画像、側面顔画像をそれぞれ撮影する２つの撮影カメラ６２、６３は倍率が異なることがあるので、装置制御用端末３２のモニターに表示される撮影メニュー画面(図１１)において、必要に応じてキャリブレーションボタン６７を選択しキャリブレーションを実行する。このキャリブレーションでは、両撮影カメラ６２及び６３により事前にスケール等を撮影したそれぞれの画像から、これらの撮影カメラ６２及び６３の倍率差を予め求めておき、この倍率差に基づき正面画像と側面画像の倍率差による誤差補正を行う。
【０１１０】
［データ入力（Ｓ３）］
次に、装置制御用端末３２のモニターに表示された例えば図１０のようなデータ入力画面を用いて、顧客個人データＸ、眼鏡処方データＹ及び眼鏡フレームデータＺを入力する。これらのデータは手入力でも可能であるが、この手間を省いたり入力ミスをなくすために、外部から自動的にデータの読み込みが可能である。
【０１１１】
例えば図１０において、顧客個人データＸは、事前に登録されている場合、ＩＤ番号などを入力すると、顧客データベース７１(図１)の顧客ファイルから眼鏡店端末７０を介して自動的に入力できる。また、眼鏡処方データＹは、眼鏡装用パラメータ測定装置３０の装置制御用端末３２と検眼機７２（フォロプタ、オートレフラクトメータなど）が接続可能であれば、ボタン７３(図１０)の操作でデータを転送できる。フレームあおり角βを含む眼鏡フレームデータＺも、眼鏡装用パラメータ測定装置３０の装置制御用端末３２とフレームトレーサ７４(図１)が接続可能であれば、ボタン７５(図１０)の操作によりデータを転送できる。このようにフレームあおり角βは、フレームトレーサ７４により測定された眼鏡フレーム１４のトレースデータから求めることができるが、それ以外の取得方法として、例えば眼鏡装用パラメータ測定装置３０の撮像カメラ６２または６３により眼鏡フレーム１４を撮影し、その画像から求めることも可能である。
【０１１２】
尚、図１０に示す眼鏡処方データＹのＳＰＨは球面度数(単位：ｄｐｔ)、ＣＹＬは乱視度数(単位：ｄｐｔ)、ＡＸＳは乱視軸(単位：°)、ＰＸはＸ方向プリズム度数(単位：△ｄｐｔ)、ＰＹはＹ方向プリズム度数(単位：△ｄｐｔ)、ＰＤは瞳孔間距離(単位：ｍｍ)である。
【０１１３】
また、眼鏡装用者の近方視目的距離ＮＬおよび眼球回旋角θが既知であれば、それらのデータを図１０のデータ入力画面の「近方視距離」「近方視角度」の欄にそれぞれ入力する。本実施形態では眼球回旋角θ（即ち近方視角度）を入力するようにしているが、累進屈折力レンズで用いられている累進帯長Ｌ（遠用ポイント中心と近用ポイント中心の距離）を用いても構わない。これは、図２１に示すように、眼球回旋角θと累進帯長Ｌとの間に簡易的に次式が成り立つからである。
Ｌ＝Ｐ×tanθ
ここで、Ｐは眼球回旋中心(回旋点１２)から眼鏡レンズ１３までの距離であり、通常２７ｍｍを用いる。この場合、上式は、眼鏡フレーム装用角度αなどを考慮していない簡易式であり、Ｐの値も個々の眼鏡装用者で異なる場合もあるが、ある程度の目安になる。累進帯長Ｌから眼球回旋角θを算出して、眼鏡装用者に近方視させ、必要であればこの眼球回旋角θを微調整する。
【０１１４】
［上下方位置合わせ(Ｓ４)］
データ入力後、図３に示す位置決めユニット３５の顎受け台４２に被検者１０の顎を載せ、額を額当て部４３に当てさせた状態で、顎受け台４２あるいは基台３７を上下に移動させて、側面から見たときの被検者１０(即ち、眼鏡装用者)の眼を額当て支柱４４の基準マーク４５に一致させる。
【０１１５】
［遠方視状態の撮影(Ｓ５)］
図１０のデータ入力画面を用いたデータ入力完了後、装置制御用端末３２のモニターに図１１に示す撮影メニュー画面が表示される。この撮影メニュー画面の遠方視ボタン６８を選択すると、図６（Ａ）の遠方視状態測定位置において光源５６が点灯する。この光源５６は固視灯の役割を果たす。この遠方視状態において、例えば眼鏡装用者である被検者１０が目視する固視灯の目標距離を約５ｍに設定したいときには、光源５６をレンズ６０の光軸上で移動させ、ハーフミラー６１およびレンズ６０を介して、これら６１、６０の後方５ｍ付近に光源５６の像（虚像）が形成されるように調整する。
【０１１６】
被検者１０はこの光源像を固視灯として観察し、検者は被検者の視線が水平であることや、顔が傾いていないことを図１３に示す撮影画面（遠方視）で確認し、被検者１０の眼が図１３中にある上下の基準線内に入るように基台３７あるいは被検者用椅子の高さを調節する。被検者１０の視線の水平及び眼が上下の基準線内に入っていることを確認後、装置制御用端末３２のモニターに表示されている撮影ボタン７６を操作して、正面用撮像カメラ６２にて被検者１０の遠方視状態の正面顔画像を撮像する。これと同時に、図３及び図７に示す側面用撮像カメラ６３により被検者１０の遠方視状態の側面顔画像を撮像する。
【０１１７】
［近方視状態の撮影(Ｓ６、Ｓ７)］
遠方視状態の正面及び側面の顔画像撮像後、装置制御用端末３２の撮影メニュー画面(図１１)で近方視ボタン６９を選択すると、可動ユニット３４が図６（Ａ）の遠方視状態測定位置から図６（Ｂ）の近方視状態測定位置まで、被検眼１１の回旋点１２を中心に軌道フレーム３６に沿って回旋移動すると共に、可動ユニット３４の光源５６がレンズ６０の光軸上を移動して、本実施形態では被検者１０の前方３０〜５０ｃｍの間に空中像（実像）を形成させ、この像を固視灯として被検者１０に観察させる。
【０１１８】
仮に、被検者１０の近方視での眼球回旋角θ、近方視目的距離ＮＬが分かっている場合で、データ入力画面(図１０)を用いてそれらの数値が既に入力されている場合には、上記眼球回旋角θ、近方視目的距離ＮＬに固視灯の空中像が形成されるように、固視灯である光源５６を可動ユニット３４により回旋移動させ、且つレンズ６０の光軸上で移動させる自動制御を設けている。被検者１０がこの固視灯を観察していることを図１４に示す撮影画面（近方視）で確認すると共に被検者１０の眼が図１４中にある上下の基準線内に入っていることを確認した後、装置制御用端末３２のモニターに表示されている撮影ボタン７７を操作して、正面用撮像カメラ６２にて被検者１０の近方視状態の正面顔画像を撮像する。これと同時に、図３及び図７に示す側面用撮像カメラ６３により被検者１０の近方視状態の側面顔画像を撮像する。
【０１１９】
被検者１０の近方視状態での眼球回旋角θ及び近方視目的距離ＮＬが分かっていない場合には、図１４の撮影画面（近方視）の「近方視距離」「近方視角度」の欄に任意の数値を入力し、セットボタン７８を操作して、上記入力数値に適合する位置まで光源５６を可動ユニット３４により回旋移動させ、且つレンズ６０の光軸上で移動させる。この状態から、眼球回旋角θ及び近方視目的距離ＮＬを変更して被検者に適した近方視状態を確認させ、この近方視状態における眼球回旋角θ及び近方視目的距離ＮＬを、求めるべき眼球回旋角θ及び近方視目的距離ＮＬとして検出する。その後、上述の手順と同様にして操作ボタン７７を操作し、近方視状態の正面顔画像、側面顔画像を撮像カメラ６２、６３によりそれぞれ撮影する。
【０１２０】
例えば、一つの手法として近方視目的距離ＮＬを固定し、光源５６を可動ユニット３４により回旋移動させて眼球回旋角θ(近方視角度)を変更し、眼鏡装用者に最適な眼鏡回旋角θを求める。その後、その眼鏡回旋角θを保持し、光源５６をレンズ６０の光軸上で移動させて近方視目的距離ＮＬを変更し、最適な近方視目的距離ＮＬを求める。この逆でも可能である。
【０１２１】
［測定・比較メニュー画面でのボタンの選択(Ｓ８)］
このようにして取得した画像を用いて、眼鏡を作製するために必要とされる様々な眼鏡装用パラメータを計測し演算するには、装置制御用端末３２のモニター上の測定・比較メニュー画面(図１２)で瞳孔間距離測定ボタン８０、装用角度・装用距離測定ボタン８１を任意に選択し、それぞれの測定プログラム(図９)を起動させる。
【０１２２】
［眼鏡装用パラメータの計測・演算(Ｓ９)］
瞳孔間距離測定ボタン８０を選択すると、瞳孔間距離測定プログラムが起動すると同時に、図１５及び図１６（Ａ）に示すように、遠方視状態の被検者１０の正面顔を撮像した正面画像が装置制御用端末３２のモニター上に表示される。この画像は、倍率補正（キャリブレーション）が実施されて上記モニター上に表示されている。そして、例えば以下のような測定方法で左眼８２と右眼８３の瞳孔中心を求め、その瞳孔中心の離間距離を遠方視瞳孔間距離ＦＰＤとする。
【０１２３】
第一の測定方法としては、左眼８２と右眼８３の瞳孔中心をマウス等のポインティングデバイスで直接指定するもので、画面上の距離を装置制御用端末３２が計測する方法である。第二の測定方法としては、画像処理によって自動的に瞳孔中心を求める方法である。この第二の測定方法では、画像処理の時間を短くするために、瞳孔近辺領域８９を図１６（Ａ）の破線のようにマウスでドラッグする。次に、この画像において、画像の走査線８４をスキャンニングして反射光量の変化を求める。被検眼(左眼８２、右眼８３)の瞳孔部分は暗いので、図１６（Ｂ）のように瞳孔部分で反射光量が大きく低下する。そこで、この反射光量が低下した部分を瞳孔領域として検出して瞳孔中心を求め、これらの瞳孔中心間を距離換算して遠方視瞳孔間距離ＦＰＤを求める。
【０１２４】
本実施形態においては、瞳孔中心は、上記第一の測定方法と第二の測定方法のいずれを用いて求めてもよく、また他の方法で求めてもよい。また顔の中心（例えば鼻柱の中心）あるいは眼鏡フレームのブリッジ１９の中心をポインティングデバイス等で指定し、その中心から左眼８２の瞳孔中心までの距離、右眼８３の瞳孔中心までの距離をそれぞれ左眼ＦＰＤ、右眼ＦＰＤとして、遠方視瞳孔間距離を求めてもよい。
【０１２５】
近方視瞳孔間距離ＮＰＤも同様な操作で求めることができるが、近方視状態は、遠方視状態と異なり輻輳により視線が内側に寄っている。このため、遠方視瞳孔間距離ＦＰＤと同様にして計測される近方視瞳孔間距離は、あくまで被検眼１１上での距離である。図１７を用いて説明すると、眼鏡レンズ１３を作製するときには、近方視の状態において眼鏡フレーム１４のリム１５に嵌め込まれる眼鏡レンズ１３の面上で、視線がどこを通過するかを計算する必要があり、この眼鏡レンズ１３の面上での近方視瞳孔間距離が求めるべき近方視瞳孔間距離ＮＰＤとなる。
【０１２６】
得られた正面画像から、眼鏡レンズ１３の面上での近方視瞳孔間距離ＮＰＤを求める方法を、図１７を用いて説明する。説明を簡単にするため、ここではフレームあおり角βと眼鏡フレーム装用角度α(後述)を０°とする。図１７において、被検眼１１の角膜頂点から回旋点１２までの距離をa(図２１のＶＲに相当)、遠方視眼鏡装用距離をｂ(図２１のＡに相当)、正面画像の遠方視の角膜頂点位置と近方視の角膜頂点位置の距離差をｃとすると、内寄せ量ｄは次式で表される。
ｄ＝ｃ(ａ＋ｂ)／ａ
眼鏡レンズ１３の面上の遠方視瞳孔間距離、近方視瞳孔間距離をそれぞれＦＰＤ、ＮＰＤとすると、遠方視瞳孔間距離ＦＰＤは正面画像の遠方視の瞳孔間距離と等しいので、近方視瞳孔間距離ＮＰＤは次式で表される。
ＮＰＤ＝ＦＰＤ−２・ｄ
ここで、角膜頂点から回旋点１２までの距離aは通常１３ｍｍが用いられることが多いが、それ以外の値でも構わない。近方視瞳孔間距離ＮＰＤをより正確に求めるためには、フレームあおり角βと眼鏡フレーム装用角度αを用いて補正する必要があるが、ここでは省略する。
【０１２７】
次に、装置制御用端末３２の測定・比較メニュー(図１２)上で、装用角度・装用距離測定ボタン８１を選択する。すると、まず眼鏡フレーム装用角度測定プログラム(図９)が起動すると同時に、図１８(Ａ)に示すように、装置制御用端末３２のモニター上に倍率補正された被検者１０の遠方視状態の顔の側面画像が表示される。この側面画像は、眼鏡フレーム装用角度α、遠方視眼鏡装用距離Ａを測定するために用いる。図１８(Ａ)に示す画面上で被検眼１１の角膜頂点をマウス等のポインティングデバイスで指定し、水平線を引いて光軸、即ち遠方視軸１７を描く。眼鏡フレーム装用角度αは、この光軸（遠方視軸１７）に垂直な直線８５に対して眼鏡フレーム１４のリム１５がなす角度である。この眼鏡フレーム装用角度αを決定するには、眼鏡フレーム１４のリム１５の側面形状に沿って２点或いは４点をマウス等のポインティングデバイスで指定し、これらの座標値から演算によって直線８６を表示させ、この直線８６と上記直線８５とのなす角度を眼鏡フレーム装用角度αとする。
【０１２８】
この眼鏡フレーム装用角度αの測定後、眼鏡装用距離測定プログラム(図９)が起動する。既に眼鏡フレーム装用角度αが分かっているので、まず、この眼鏡フレーム装用角度αと平行で且つ角膜頂点を通る基準直線８７を表示する。この基準直線８７と平行な直線８８を画面上で生じさせ、マウス等のポインティングデバイスで上記直線８８を平行移動して、眼鏡フレーム１４のリム１５の位置まで移動させる。このリム１５の位置まで移動した直線８８と上記基準直線８７間の距離を計測して仮装用距離とする。実際の遠方視眼鏡装用距離Ａは、フレームあおり角βやレンズカーブなどの眼鏡の立体形状に影響されるので、眼鏡装用距離測定プログラムは、眼鏡フレーム１４のトレースデータやレンズカーブを読み込んで計算し、その計算値と上記仮装用距離を加味して遠方視眼鏡装用距離Ａを算出する。
【０１２９】
近方視眼鏡装用距離Ｂも同様な操作で求めることができる。つまり、既に眼球回旋角θが分かっているので、被検眼１１の角膜頂点をマウス等のポインティングデバイスで指定し、眼球回旋角θに応じた光軸、即ち近方視軸１８を引く。その光軸上の角膜頂点と眼鏡フレーム１４のリム１５との距離を計測して仮装用距離とする。実際の近方視眼鏡装用距離Ｂは、フレームあおり角βやレンズカーブなどの眼鏡の立体形状に影響されるので、眼鏡フレーム１４のトレースデータやレンズカーブを読み込んで計算し、その計算値と上記仮装用距離を加味して近方視眼鏡装用距離Ｂを算出する。
【０１３０】
次に、瞬きを検知して撮影の失敗を軽減する方法について説明する。瞬きは０．１秒前後といわれ、不定期に行われる。眼鏡装用者に瞬きをしないように促すことも可能であるが、元来無意識で行うため予防するのは難しい。
【０１３１】
そこで、まず、眼鏡装用者である被検者１０に光源５６の像を観察させ、検者は被検者１０の視線(遠方視軸１７)が水平に向いているかどうかをモニター等で確認する(図１３参照)。視線が水平に向いていなければ、水平になるように基台３７あるいは被検者１０が座っている椅子の高さを調節する。次に、装置制御用端末３２のモニター上の撮影画面(図１３)の上下の基準線内に被検者１０の眼が収まっているか否かを確認し、収まっていれば撮影ボタン７６を押す。すると、装置制御用端末３２は、両基準線内の領域内で瞳孔位置を決定すべく上述の図１６（Ｂ）のような画像処理をリアルタイムで実施して瞳孔を見つけると同時に、その瞳孔内の反射光量の変化を検出する。この反射光量は瞼の方が角膜よりも大きくなるため、瞬きをすれば反射光量が大きく増加し、瞬きを検出することができる。被検者１０の顔画像を撮影すべくモニターに表示された撮影画面(図１３)の撮像ボタン７６が操作されたとき、装置制御用端末３２は、瞬きを検出した場合に画面上に「再撮影」の表示を表示し、瞬きを検出しない場合に撮像カメラ６２及び６３により顔画像を撮影させ、その撮影画像を記録する。
【０１３２】
尚、装置制御用端末３２は、瞬きを検出したときに「再撮影」の表示を画面上に表示し、またはこの表示を表示することなく、瞬きがなされていないときを検出して自動撮影するようにしてもよい。このように装置制御用端末３２が瞬きを検出して、撮影の失敗を低減することにより、眼鏡装用パラメータ測定装置３０による測定時間を短縮することが可能となる。装置制御用端末３２は、被検者１０の近方視の顔画像を撮影する場合にも、上述と同様にして瞬きを検出する。
【０１３３】
［データ保存(Ｓ１０)］
装置制御用端末３２は、上述のようにして得られた眼鏡装用パラメータＶを、顧客個人データＸ及び眼鏡フレームデータＺと共に、例えば図１９に示す保存画面の一覧表示の形態で、装置制御用端末３２内及び顧客データベース７１に保存し、このとき撮像画像も同時に保存する。この保存画面には、累進屈折力レンズをはじめとしたシニアを対象とした眼鏡レンズにおける累進帯長Ｌ（遠用ポイント中心と近用ポイント中心の距離）が、上記遠方視及び近方視の眼鏡装用パラメータを用いて決定されて表示される。
【０１３４】
つまり、装置制御用端末３２は、図２１に示す遠方視眼鏡装用距離Ａ、近方視眼鏡装用距離Ｂ、眼鏡フレーム装用角度α、眼球回旋角θが既に計測し計算されているので、被検眼１１の角膜頂点から眼球回旋点１２までの距離ＶＲを１３ｍｍとして累進帯長Ｌを計算する。この累進帯長Ｌは、累進屈折力レンズのタイプの選定に役立つだけでなく、眼鏡装用者に最適な累進屈折力レンズを設計する上で必要かつ重要なパラメータである。尚、被検眼１１の角膜頂点から眼球回旋点１２までの距離ＶＲを１３ｍｍとしたが、これは日本人において一般に用いられる値であって、欧米人の場合は主に１４ｍｍが用いられることが多い。また、図２１では、累進面が眼鏡レンズ１３の眼側にある場合を示したが、眼鏡レンズ１３の物体側にある場合には、累進帯長Ｌはレンズの厚みを考慮して算出する。
【０１３５】
［眼鏡レンズ、眼鏡の発注（Ｓ１１）］
眼鏡装用パラメータ測定装置３０の装置制御用端末３２及び顧客データベース７１（図１）に保存された、眼鏡の作製のために必要な眼鏡装用者個々人のデータ（顧客個人データＸ、眼鏡レンズデータＷ、眼鏡処方データＹ、眼鏡フレームデータＺ、眼鏡装用パラメータＶ及び加工指定データの少なくとも一つ）は、眼鏡店端末７０により眼鏡製造業者の工場サーバ１０１へ送信され、顧客データベース１０３に保存されて、眼鏡レンズまたは眼鏡の発注がなされる。これにより、工場サーバ１０１は、眼鏡レンズ供給システム１００において扱われる、上述の眼鏡の作製のために必要な眼鏡装用者個々人のデータ（顧客個人データＸ、眼鏡レンズデータＷ、眼鏡処方データＹ、眼鏡フレームデータＺ、眼鏡装用パラメータＶ、加工指定データの少なくとも一つ）に基づき、発注形態に応じて、当該眼鏡装用者個々人に最適な眼鏡レンズの光学設計を行い、その設計値に基づいて眼鏡レンズを製造し、この眼鏡レンズを組み込んで、当該眼鏡装用者に最適な眼鏡を製造する。
【０１３６】
累進屈折力レンズをはじめとした老視を対象とした眼鏡レンズでは、遠方視及び近方視の眼鏡装用パラメータが必要であるが、近用専用単焦点レンズの場合には、遠方視の眼鏡装用パラメータは不要であり、遠方視状態の撮影を省くことができる。また、遠視用あるいは近視用の単焦点レンズの場合には、近方視の眼鏡装用パラメータは不要であり、近方視状態の撮影を省くことができる。このように、眼鏡装用パラメータは、眼鏡装用者が装用する眼鏡レンズの種類によって眼鏡装用パラメータ測定装置３０により任意に選択して測定され、眼鏡店端末７０により眼鏡製造業者の工場サーバへ送信される。
【０１３７】
［測定・比較検証動作の開始（Ｓ１２）〜比較検証（Ｓ１４）］
作製された眼鏡の装用状態が眼鏡装用者にとって適切であるか否かを確認するためには、遠方視瞳孔間距離ＦＰＤ、近方視瞳孔間距離ＮＰＤ、遠方視眼鏡装用距離Ａ、近方視眼鏡装用距離Ｂ及び眼鏡フレーム装用角度αを眼鏡の作製前後で比較する。そのために、まず、作製された眼鏡を眼鏡装用者に装用させ、遠方視状態と近方視状態において、正面用撮影カメラ６２及び側面用撮影カメラ６３により顔画像を撮像し（Ｓ５、Ｓ７）、それらの画像を装置制御用端末３２内に保存する。上記近方視状態の撮影では、眼鏡作製前に撮影したときと同じ眼球回旋角θ及び近方視目的距離NLに固視灯を設定する。
【０１３８】
上述の顔画像の撮像後、装置制御用端末３２のモニターに表示された測定・比較メニュー画面（図１２）において、瞳孔間距離測定・比較ボタン９０、装用角度・装用距離測定・比較ボタン９１を任意に選択し、それぞれの測定・比較検証プログラムソフトを起動させる。
【０１３９】
瞳孔間距離測定・比較ボタン９０を選択すると、瞳孔間距離測定・比較検証プログラムソフトが起動すると同時に、図１６（Ｃ）に示すように、作製された眼鏡を装用した遠方視状態の眼鏡装用者の正面画像が、装置制御用端末３２のモニター上に表示される。この画像は、倍率補正（キャリブレーション）が実施された後にモニター上に表示されたものである。
【０１４０】
眼鏡レンズの左右の光学中心は、レンズメーターを用いて事前に印点されている。眼鏡レンズが偏心レンズの場合には、偏心状態を考慮して印点がなされる。上記正面画像において、印点された眼鏡レンズの光学中心をマウス等のポインティングデバイスでクリックして、上記光学中心の座標を求め、この座標値から瞳孔間距離を求めて遠方視瞳孔間距離ＦＰＤとする。また、左眼８２と右眼８３の瞳孔部分が暗いので、正面画像における走査線８４をスキャニングして反射光量の変化を求め、図１６（Ｂ）のように反射光量が大きく低下した部分を瞳孔領域として瞳孔中心を求め、この瞳孔中心間を距離換算して遠方視瞳孔間距離ＦＰＤを求めてもよい。
【０１４１】
起動中の上記瞳孔間距離測定・比較検証プログラムソフトは、上述のようにして眼鏡作製後に測定した遠方視瞳孔間距離ＦＰＤを図１６（Ｃ）の「眼鏡作製後ＦＰＤ」に数値表示し、「眼鏡作製前ＦＰＤ」には、顧客データベース７１あるいはまた１０３に保存された同一眼鏡装用者の、当該眼鏡作製のために測定された眼鏡作製前の遠方視瞳孔間距離ＦＰＤを数値表示する。この起動中の瞳孔間距離測定・比較検証プログラムソフトは、これらの両遠方視瞳孔間距離ＦＰＤを並列に表示して比較し、眼鏡作製後の遠方視瞳孔間距離ＦＰＤの数値が、眼鏡作製前の遠方視瞳孔間距離ＦＰＤの数値に対し許容範囲内にあるか否かを判定し検証する。
【０１４２】
尚、顔の中心または眼鏡フレームのブリッジの中心から左右の眼鏡レンズの光学中心または左右の瞳孔中心までの距離を示す左眼ＦＰＤ、右眼ＦＰＤを、眼鏡作製前後において比較検証してもよい。
【０１４３】
起動中の上記瞳孔間距離測定・比較検証プログラムソフトは、眼鏡作製前に近方視瞳孔間距離ＮＰＤを計測し演算して測定した手順と同様な手順で、眼鏡作製後の近方視瞳孔間距離ＮＰＤを測定し、図示しないが、これらの眼鏡作製前後の近方視瞳孔間距離ＮＰＤをモニター上に数値表示して比較し、眼鏡作製後の近方視瞳孔間距離ＮＰＤの数値が、眼鏡作製前の近方視瞳孔間距離ＮＰＤの数値に対し許容範囲内にあるか否かを判定して検証する。
【０１４４】
図１２の測定・比較メニュー画面において、装用角度・装用距離測定・比較ボタン９１が選択されると、まず、眼鏡フレーム装用角度測定・比較検証プログラムソフト（図９）が起動すると同時に、図１８（Ｂ）に示すように、装置制御用端末３２のモニター上に、倍率補正された遠方視状態の側面画像が表示される。この起動した眼鏡フレーム装用角度測定・比較検証プログラムソフトは、モニター上の上記側面画像において、眼鏡作製前に眼鏡フレーム装用角度αを測定した手順と同様な手順で、眼鏡作製後の眼鏡フレーム装用角度αを測定し、その眼鏡フレーム装用角度αを、図１８（Ｂ）の「装用角度」と「眼鏡作製後」の交差する欄に数値表示する。更に、この起動中の眼鏡フレーム装用角度測定・比較検証プログラムソフトは、顧客データベース７１または１０３から取り込んだ同一眼鏡装用者の当該眼鏡作製前の眼鏡フレーム装用角度αを、図１８（Ｂ）の「装用角度」と「眼鏡作製前」の交差する欄に数値表示し、これらの眼鏡作製前後の眼鏡フレーム装用角度αを数値を用いて比較し、眼鏡作製後の眼鏡フレーム装用角度αの数値が、眼鏡作製前の眼鏡フレーム装用角度αの数値に対し許容範囲内にあるか否かを判定して検証する。
【０１４５】
この眼鏡作製後の眼鏡フレーム装用角度αの測定比較検証後に、眼鏡装用距離測定・比較検証プログラムソフトが起動する。このプログラムソフトは、図１８（Ｂ）の側面画像において、眼鏡作製前に遠方視眼鏡装用距離Ａを測定した手順と同様な手順で、眼鏡作製後の遠方視眼鏡装用距離Ａを測定し、その遠方視眼鏡装用距離Ａを、図１８（Ｂ）の「装用距離」と「眼鏡作製後」の交差する欄に数値表示する。更に、この起動中の眼鏡装用距離測定・比較検証プログラムソフトは、顧客データベース７１または１０３から取り込んだ同一眼鏡装用者の当該眼鏡作製前の遠方視眼鏡装用距離Ａを、図１８（Ｂ）の「装用距離」と「眼鏡作製前」の交差する欄に数値表示し、これら眼鏡作製前後の遠方視眼鏡装用距離Ａを数値を用いて比較し、眼鏡作製後の遠方視眼鏡装用距離Ａの数値が、眼鏡作製前の遠方視眼鏡装用距離Ａの数値に対し許容範囲内にあるか否かを判定して検証する。
【０１４６】
起動中の上記眼鏡装用距離測定・比較検証プログラムソフトは、眼鏡作製後の近方視眼鏡装用距離Ｂにおいても、眼鏡作製前に近方視眼鏡装用距離Ｂを計測し演算して測定した手順と同様な手順で、眼鏡作製後の近方視眼鏡装用距離Ｂを測定し、図示しないが、これらの眼鏡作製前後の近方視眼鏡装用距離Ｂをモニター上に数値を用いて表示して比較し、眼鏡作製後の近方視眼鏡装用距離Ｂの数値が、眼鏡作製前の近方視眼鏡装用距離Ｂの数値に対し許容範囲内にあるか否かを判定して検証する。
【０１４７】
［データ保存（Ｓ１５）など］
装置制御用端末３２は、眼鏡作製後の遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれが、眼鏡作製前の遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれに対し許容範囲内にあると判定して検証した場合には、作製された眼鏡の装用状態が眼鏡装用者にとって適切であって、この眼鏡が良品であると判断し、眼鏡作製後の遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度α、及びこれらの眼鏡装用パラメータの眼鏡作製前後の比較データを、撮像画像と共に顧客データベース７１あるいはまた１０３に保存する。
【０１４８】
装置制御用端末３２は、眼鏡作製後の遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれが、眼鏡作製前の遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度のそれぞれαに対し許容範囲内にない場合には、眼鏡フレームを調整する眼鏡フィッティング作業を促す旨の表示を表示する。検者は、この表示に従い眼鏡フィッティング作業を実行し、眼鏡が良品と判断されるまで、眼鏡装用パラメータ測定装置３０を用いて、図２０のステップＳ４〜Ｓ８及びＳ１２〜Ｓ１４の手順を繰り返す。この際、眼鏡作製の前後における比較データが、顧客データベース７１あるいはまた１０３に保存されているので、この比較データを参考にすれば、上記眼鏡フィッティング作業を容易に実施することが可能となる。
【０１４９】
以上のように構成されたことから、上記実施の形態によれば、次の効果（１）〜（１３）を奏する。
（１）眼鏡レンズ供給システム１０２における眼鏡店端末７０が、眼鏡装用パラメータを含む眼鏡を作製するために必要な眼鏡装用者個々人のデータ（顧客個人データＸ、眼鏡レンズデータＷ、眼鏡処方データＹ、眼鏡フレームデータＺ、眼鏡装用パラメータＶ、加工指定データの少なくとも一つ）を、工場サーバ１０１との間で情報交換可能に構成されたことから、工場サーバ１０１が、眼鏡装用パラメータを含む眼鏡作製のために必要な眼鏡装用者個々人の上記データを眼鏡店端末７０から受信し、このデータを眼鏡レンズまたは眼鏡の作製に供することで、眼鏡装用者個々人に最適な専用の眼鏡レンズまたは眼鏡を供給することができる。
【０１５０】
（２）眼鏡レンズ供給システム１００における眼鏡店端末７０と工場サーバ１０１の顧客データベース７１、１０３に、眼鏡装用パラメータを含む眼鏡を作製するために必要な眼鏡装用者個々人のデータ（顧客個人データＸ、眼鏡レンズデータＷ、眼鏡処方データＹ、眼鏡フレームデータＺ、眼鏡装用パラメータＶ、加工指定データの少なくとも一つ）が記録保存されることから、眼鏡装用者が新たに眼鏡を作る場合や、処方を変えて眼鏡を作る場合、または眼鏡店、眼科医院もしくは個人などの発注側において眼鏡装用者である顧客の眼鏡に関する履歴を更新する場合に、顧客データベース７１、１０３が有効に機能する。
【０１５１】
（３）眼鏡レンズ供給システム１００における顧客データベース７１または１０３に、眼鏡装用パラメータを含む眼鏡を作製するために必要な眼鏡装用者個々人のデータ（顧客個人データＸ、眼鏡レンズデータＷ、眼鏡処方データＹ、眼鏡フレームデータＺ、眼鏡装用パラメータＶ、加工指定データの少なくとも一つ）が記録保存されることから、工場サーバ１０１が、顧客データベース７１、１０３に保存された上記データを眼鏡レンズまたは眼鏡の製造に供することで、眼鏡装用者個々人に最適な専用の眼鏡レンズまたは眼鏡を供給することができる。
【０１５２】
（４）眼鏡装用パラメータ測定装置３０では、光源５６及びレンズ６０を備えた可動ユニット３４が、眼鏡装用者である被検者１０を遠方視状態または近方視状態に設定し、この近方視状態では、眼球回旋角θと近方視目的距離ＮＬの少なくとも一方を任意に変更可能とし、この遠方視状態または近方視状態に設定された被検者１０を正面用撮像カメラ６２及び側面用撮像カメラ６３により撮影し、この得られた撮像画像に基づき装置制御用端末３２が眼鏡装用パラメータを計測し演算することから、遠方視と近方視の眼鏡装用パラメータを高精度に測定できる。この結果、眼鏡装用パラメータ測定装置３０により高精度に測定された眼鏡装用パラメータの少なくとも一つを用いて、眼鏡装用者個々人に最適な専用の眼鏡レンズを光学設計でき、この眼鏡レンズを組み込んで、当該眼鏡装用者個々人に最適な専用の眼鏡を製造できる。
【０１５３】
（５）眼鏡装用パラメータ測定装置３０では、遠方視状態と近方視状態のそれぞれにおいて、眼鏡装用パラメータを測定できることから、眼鏡装用者が装用する眼鏡の眼鏡レンズの種類によって、必要な眼鏡装用パラメータを選択できるので、不必要な眼鏡装用パラメータの測定を省略して、眼鏡装用パラメータ測定装置３０による測定を迅速化できる。
【０１５４】
（６）眼鏡装用パラメータ測定装置３０では、正面用撮像カメラ６２の光軸を、可動ユニット３４に位置決めされた眼鏡装用者である被検者１０の被検眼１１の遠方視軸１７または近方視軸１８に常時一致させた状態に保持して、上記正面用撮像カメラ６２が被検者１０の被検眼１１の回旋点１２を中心に回旋移動され、被検者１０の遠方視状態と近方視状態が設定されることから、近方視状態においても、遠方視状態と同様に、正面用撮像カメラ６２が被検者１０を適切に撮影できるので、この撮像画像に基づき眼鏡装用パラメータを高精度に測定できる。
【０１５５】
（７）眼鏡装用パラメータ測定装置３０では、眼鏡装用パラメータの眼球回旋角θ及び近方視目的距離ＮＬが不明な場合には、眼鏡装用者である被検者１０に適した近方視状態を確認させながら、光源５６及びレンズ６０を備えた可動ユニット３４を軌道フレーム３６に沿って回旋移動させ、且つ光源５６をレンズ６０に対し接近または離反させて、上記眼球回旋角θ及び近方視目的距離ＮＬが決定されることから、眼鏡装用者に最適な眼球回旋角θ及び近方視目的距離ＮＬを高精度に測定することができる。
【０１５６】
（８）眼鏡装用パラメータ測定装置３０では、遠方視眼鏡装用距離Ａ及び近方視眼鏡装用距離Ｂが、眼鏡フレーム１４のフレームあおり角βなどの立体形状を考慮して算出されることから、計測された装用距離のそれぞれを上記立体形状により修正することで、これらの遠方視眼鏡装用距離Ａ及び近方視眼鏡装用距離Ｂを高精度に測定できる。
【０１５７】
（９）眼鏡装用パラメータ測定装置３０では、近方視瞳孔間距離ＮＰＤが、眼鏡装用者である被検者１０が装用した眼鏡の眼鏡レンズ１３の面上において算出されることから、眼鏡を製作するために必要な近方視瞳孔間距離ＮＰＤを最適な値として測定できる。
【０１５８】
（１０）眼鏡装用パラメータ測定装置３０では、可動ユニット３４における光源５６が設定する遠方視状態における固視灯が虚像として形成されることから、この遠方視状態における固視灯を実像として形成する場合に比べ、眼鏡装用パラメータ測定装置３０を小型化できる。
【０１５９】
（１１）眼鏡装用パラメータ測定装置３０における装置制御用端末３２が眼鏡装用者である被検者１０の瞬きを検知し、瞬きが発生していないときに被検者１０を撮影することから、被検者１０の顔画像の撮影失敗を低減でき、眼鏡装用パラメータ測定装置３０による眼鏡装用パラメータの測定時間を短縮できる。
【０１６０】
（１２）眼鏡装用パラメータ測定装置により高精度に測定された眼鏡装用パラメータを含む眼鏡を作製するために必要な眼鏡装用者個々人のデータ（顧客個人データＸ、眼鏡レンズデータＷ、眼鏡処方データＹ、眼鏡フレームデータＺ、眼鏡装用パラメータＶ、加工指定データの少なくとも一つ）を用いて眼鏡レンズが光学設計されて作製されるので、眼鏡レンズを眼鏡装用者個々人に最適な専用の眼鏡レンズとすることができ、また眼鏡も、眼鏡装用者個々人に最適な専用の眼鏡とすることができる。
【０１６１】
（１３）眼鏡装用者に適した眼鏡を作製するために必要な眼鏡装用パラメータを測定する眼鏡装用パラメータ測定装置３０の装置制御用端末３２が、眼鏡作製後の現時点で測定された眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれ）と、顧客データベース７１、１０３に保存された眼鏡作製前における同一眼鏡装用者の眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれ）とを数値を用いて比較する比較手段として機能し、更に、この比較手段により得られた数値に基づき眼鏡の装用状態の適否を判定して検証する検証手段として機能することから、新たに作製された眼鏡の装用状態を数値によって客観的に適切に比較でき、この眼鏡の装用状態を迅速かつ的確に検証できる。
【０１６２】
以上、本発明を上記実施の形態に基づいて説明したが、本発明はこれに限定されるものではない。
例えば、上記実施の形態では、眼鏡作製後に、この作製された眼鏡の装用状態が適切であるか否かを眼鏡装用パラメータ測定装置３０を用いて比較し、検証するものを述べたが、顧客が眼鏡を購入した後のメンテナンス時において、眼鏡の装用状態をチェックするために使用してもよい。
【０１６３】
つまり、このメンテナンス時点における眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれ）を測定し、この眼鏡装用パラメータと、それ以前（眼鏡作製前または眼鏡作製直後など）に測定して顧客データベース７１または１０３に保存された同一眼鏡装用者の眼鏡装用パラメータ（遠方視瞳孔間距離ＦＰＤ、近方視瞳孔間距離ＮＰＤ、遠方視眼鏡装用距離Ａ、近方視眼鏡装用距離Ｂ、眼鏡フレーム装用角度αのそれぞれ）とを比較することで、このメンテナンス時点における眼鏡の装用状態の適否を判定して検証してもよい。
【０１６４】
具体的には、顧客が眼鏡を購入した後、その眼鏡に対して装用感に違和感を覚えたときや何らかの事情で眼鏡フレームが変形したときに、眼鏡装用パラメータ測定装置３０及び顧客データベース７１または１０３を用いることによって眼鏡の装用状態を検証し、この眼鏡の装用状態が悪いのか、或いは眼鏡レンズの処方が眼鏡装用者に合わなくなっているのかを判断することができる。眼鏡の装用状態が悪ければ、眼鏡装用パラメータがメンテナンス時点よりも前に測定された眼鏡装用パラメータ、例えば眼鏡作製前に測定された眼鏡装用パラメータに対し許容範囲に入るように眼鏡のフィッティング作業を実施し、眼鏡レンズの処方が眼鏡装用者に合わなくなったときには処方値を見直すための検眼作業を行う。また、眼鏡店等における顧客サービスの一つとして眼鏡装用の定期点検に活用することもできる。
【０１６５】
また、上記実施の形態では、眼鏡店端末７０と工場サーバ１０１はインターネットなどの通信回線を用いて接続されるものを述べたが、専用回線により接続されてもよい。また、眼鏡店端末７０と工場サーバ１０１を接続するネットワークは、ネットワークサーバを介するものでもよく、またネットワークサーバ及び複数の他の工場サーバ１０１を介するものもよい。更に、眼鏡店端末７０と工場サーバ１０１は、電話回線により接続されるものでもよい。
【０１６６】
また、上記実施の形態では、眼鏡店端末７０が眼鏡装用パラメータ測定装置３０の装置制御用端末３２に接続されるものを述べたが、この眼鏡店端末７０は装置専用端末３２に接続されず、眼鏡装用パラメータ測定装置３０により測定された眼鏡装用パラメータＶが、手入力その他の入力手段により入力されて、顧客データベース７１に記録保存されるものでもよい。
【０１６７】
また、上記実施の形態では、ＬＥＤのような光源を用いこの光源像を固視灯として用いたが、文字や記号などの像を用いても構わない。
【符号の説明】
【０１６８】
１０  被検者（眼鏡装用者）
１２  回旋点
１３  眼鏡レンズ
１４  眼鏡フレーム
１７  遠方視軸
１８  近方視軸
３０  眼鏡装用パラメータ測定装置
３１  測定装置本体
３２  装置制御用端末（計測演算手段）
３４  可動ユニット（固視手段）
３６  軌道フレーム
５６  光源（固視手段）
６０  レンズ（固視手段）
６２  正面用撮像カメラ（撮像入力手段）
６３  側面用撮像カメラ（画像入力手段）
７０  眼鏡店端末（発注側コンピュータ）
７１  顧客データベース
１００  眼鏡レンズ供給システム
１０１  工場サーバ（製造側コンピュータ）
１０２  公衆通信回線
１０３  顧客データベース
θ  眼球回旋角
α  眼鏡フレーム装用角度
β  フレームあおり角
ＦＰＤ  遠方視瞳孔間距離
ＮＰＤ  近方視瞳孔間距離
Ａ  遠方視眼鏡装用距離
Ｂ  近方視眼鏡装用距離
ＮＬ  近方視目的距離
Ｖ  眼鏡装用パラメータ
Ｗ  眼鏡レンズデータ
Ｘ  顧客個人データ
Ｙ  眼鏡処方データ
Ｚ  眼鏡フレームデータ
【図１】
2010266892.tif 000003
【図２】
2010266892.tif 000004
【図３】
2010266892.tif 000005
【図４】
2010266892.tif 000006
【図５】
2010266892.tif 000007
【図６】
2010266892.tif 000008
【図７】
2010266892.tif 000009
【図８】
2010266892.tif 000010
【図９】
2010266892.tif 000011
【図１０】
2010266892.tif 000012
【図１１】
2010266892.tif 000013
【図１２】
2010266892.tif 000014
【図１３】
2010266892.tif 000015
【図１４】
2010266892.tif 000016
【図１５】
2010266892.tif 000017
【図１６】
2010266892.tif 000018
【図１７】
2010266892.tif 000019
【図１８】
2010266892.tif 000020
【図１９】
2010266892.tif 000021
【図２０】
2010266892.tif 000022
【図２１】
2010266892.tif 000023
【図２２】
2010266892.tif 000024
【図２３】
2010266892.tif 000025
【図２４】
2010266892.tif 000026
【図２５】
2010266892.tif 000027